(57)【特許請求の範囲】
【請求項１】
通信ネットワーク（１００）内のワイヤレス・デバイス（１２０）のためのパケット・データ・コンバージェンス・プロトコル、ＰＤＣＰ、を構成するために前記ワイヤレス・デバイス（１２０）によって実行される方法であって、前記通信ネットワーク（１００）は第１タイプのコア・ネットワーク（１０１）及び第２タイプのコア・ネットワーク（１０２）を備え、前記方法は、
異なる世代の電気通信ネットワークに関連する第１タイプ及び第２タイプのうちのどのタイプのコア・ネットワークに前記ワイヤレス・デバイスが接続する又は接続されるかに関する情報を取得すること（９０１）と、
第１タイプのコア・ネットワーク（１０１）及び第２タイプのコア・ネットワーク（１０２）のうちのどのタイプのコア・ネットワークに前記ワイヤレス・デバイス（１２０）が接続する又は接続されるかに基づいて、前記ワイヤレス・デバイス（１２０）のための前記ＰＤＣＰを構成すること（９０３）と、を有し、
どのタイプのコア・ネットワークに前記ワイヤレス・デバイス（１２０）が接続する又は接続されるかに基づいて前記ワイヤレス・デバイス（１２０）のための前記ＰＤＣＰを構成すること（９０３）は、
前記ワイヤレス・デバイス（１２０）が前記第１タイプのコア・ネットワークに接続する又は接続される場合に、前記ワイヤレス・デバイス（１２０）のために、サービス品質、ＱｏＳ、フロー・アイデンティティ、ＩＤ、なしで前記ＰＤＣＰを構成することと、
前記ワイヤレス・デバイス（１２０）が前記第２タイプのコア・ネットワークに接続する又は接続される場合に、前記ワイヤレス・デバイス（１２０）のために、ＱｏＳフローＩＤありで前記ＰＤＣＰを構成することと、を含む、方法。
【請求項２】
請求項１に記載の方法であって、前記第２タイプのコア・ネットワーク（１０２）は次世代コア・ネットワーク、ＮＧＣＮ、であり、前記ワイヤレス・デバイス（１２０）はまた、ＮＧＣＮに接続することをサポートし、前記方法は、
前記ワイヤレス・デバイス（１２０）がどのタイプのコア・ネットワーク・ノードと通信したいかのインジケーションを第１タイプのネットワーク・ノード（１１１）に送信することをさらに有する、方法。
【請求項３】
請求項２に記載の方法であって、前記インジケーションは、無線リソース制御、ＲＲＣ、プロトコル又は他のプロトコルで搬送される、方法。
【請求項４】
請求項１乃至３の何れか１項に記載の方法であって、前記第２タイプのコア・ネットワーク（１０２）は次世代コア・ネットワーク、ＮＧＣＮ、であり、前記方法は、
ネットワーク・ノード（１１１）から、どのコア・ネットワークに前記ネットワーク・ノード（１１１）が接続されるかに関する情報を、前記第１タイプの前記コア・ネットワーク（１０１）からのコア・ネットワーク・ブロードキャスト・システム情報で受信することをさらに有する、方法。
【請求項５】
請求項４に記載の方法であって、前記ワイヤレス・デバイス（１２０）はまた、ＮＧＣＮに接続することをサポートし、前記方法は、
前記第２タイプのコア・ネットワーク（１０２）のためのＮＡＳメッセージとして第１ＮＡＳメッセージを前記コア・ネットワーク（１０２）に送信することをさらに有する、方法。
【請求項６】
請求項１乃至５の何れか１項に記載の方法であって、前記ワイヤレス・デバイス（１２０）のための前記ＰＤＣＰを構成すること（９０３）は、
シグナリング無線ベアラ、ＳＲＢ、を構成することと、
ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含むＰＤＣＰパラメータを構成することと、のうちの任意の１つ以上を含む、方法。
【請求項７】
請求項１乃至６の何れか１項に記載の方法であって、
ネットワーク・ノード（１１１、１１２）がマスタ・ノードである場合に、第１タイプのコア・ネットワーク（１０１）及び第２タイプのコア・ネットワーク（１０２）のうちのどのタイプのコア・ネットワークに前記ワイヤレス・デバイス（１２０）が接続するかに基づいて、前記ワイヤレス・デバイス（１２０）のための前記ＰＤＣＰを構成すること（９０３）と、
前記ネットワーク・ノード（１１１、１１２）がセカンダリ・ノードである場合に、
‐第１タイプのマスタ・ノード及び第２タイプのマスタ・ノードのうちのどのタイプのマスタ・ノードに前記ネットワーク・ノード（１１１、１１２）が接続するかと、
‐第１タイプのコア・ネットワーク（１０１）及び第２タイプのコア・ネットワーク（１０２）とのうちのどのタイプのコア・ネットワークに前記ワイヤレス・デバイス（１２０）が接続するかと、のうちの任意の１つ以上に基づいて、前記ワイヤレス・デバイス（１２０）のための前記ＰＤＣＰを構成すること（９０３）と、によって、前記構成を実行するように前記ワイヤレス・デバイスに命令するコマンドを前記通信ネットワーク（１００）内のネットワーク・ノード（１１１、１１２）から受信すること（９０２）をさらに有する、方法。
【請求項８】
請求項１乃至７の何れか１項に記載の方法であって、前記第１タイプの電気通信ネットワークは第４世代、４Ｇ、に関連し、前記第２タイプの電気通信ネットワークは第５世代、５Ｇ、に関連する、方法。
【請求項９】
請求項１乃至８の何れか１項に記載の方法であって、ネットワーク・ノード（１１１、１１２）はマスタ・ノードであり、
どのタイプのコア・ネットワークに前記ワイヤレス・デバイス（１２０）が接続するかに基づいて前記ワイヤレス・デバイス（１２０）のための前記ＰＤＣＰを構成すること（９０３）は、
前記ネットワーク・ノード（１１１、１１２）が前記第１タイプのコア・ネットワークに接続する場合に、前記ワイヤレス・デバイス（１２０）のために、ＱｏＳフローＩＤなしで前記ＰＤＣＰを構成することと、
前記ネットワーク・ノード（１１１、１１２）が前記第２タイプのコア・ネットワークに接続する場合に、前記ワイヤレス・デバイス（１２０）のために、ＱｏＳフローＩＤありで前記ＰＤＣＰを構成することと、を含む、方法。
【請求項１０】
請求項９に記載の方法であって、前記第１タイプのコア・ネットワークは発展型パケット・コア、ＥＰＣ、コア・ネットワークに関連し、前記第２タイプのコア・ネットワークは第５世代、５Ｇ、コア・ネットワークに関連する、方法。
【請求項１１】
請求項１乃至１０の何れか１項に記載の方法であって、ネットワーク・ノード（１１１、１１２）はセカンダリ・ノードであり、
どのタイプのマスタ・ノードに前記ネットワーク・ノード（１１１、１１２）が接続するかに基づいて前記ワイヤレス・デバイス（１２０）のための前記ＰＤＣＰを構成すること（９０３）は、
前記ネットワーク・ノード（１１１、１１２）が前記第１タイプのマスタ・ノードに接続する場合に、前記ワイヤレス・デバイス（１２０）のために、サービス品質、ＱｏＳ、フロー・アイデンティティ、ＩＤ、なしで前記ＰＤＣＰを構成することと、
前記ネットワーク・ノード（１１１、１１２）が前記第２タイプのマスタ・ノードに接続する場合に、前記ワイヤレス・デバイス（１２０）のために、ＱｏＳフローＩＤありで前記ＰＤＣＰを構成することと、を含む、方法。
【請求項１２】
請求項１１に記載の方法であって、前記第１タイプのマスタ・ノードはロング・ターム・エボリューション、ＬＴＥ、ネットワーク・ノードに関連し、前記第２タイプのマスタ・ノードは第５世代、５Ｇ、コア・ネットワークに関連する、方法。
【請求項１３】
請求項１乃至８の何れか１項に記載の方法であって、ネットワーク・ノード（１１１、１１２）はセカンダリ・ノードであり、
どのタイプのコア・ネットワークに前記ワイヤレス・デバイス（１２０）が接続するかに基づいて前記ワイヤレス・デバイス（１２０）のための前記ＰＤＣＰを構成すること（９０３）は、
前記ワイヤレス・デバイス（１２０）が前記第１タイプのコア・ネットワークに接続する場合に、前記ワイヤレス・デバイス（１２０）のために、サービス品質、ＱｏＳ、フロー・アイデンティティ、ＩＤ、なしで前記ＰＤＣＰを構成することと、
前記ネットワーク・ノード（１１１、１１２）が前記第２タイプのコア・ネットワークに接続する場合に、前記ワイヤレス・デバイス（１２０）のために、ＱｏＳフローＩＤありで前記ＰＤＣＰを構成することと、を含む、方法。
【請求項１４】
請求項１乃至１３の何れか１項に記載の方法であって、ネットワーク・ノード（１１１、１１２）は、第１タイプのネットワーク・ノードであり前記第２タイプのコア・ネットワーク（１０２）に接続でき、前記ワイヤレス・デバイス（１２０）は、前記第２タイプのコア・ネットワーク（１０２）に接続でき、前記方法は、
前記ネットワーク・ノード（１１１、１１２）が前記第２タイプのコア・ネットワークに接続できるという情報を前記ネットワーク・ノード（１１１、１１２）から受信すること（９０４）と、
第１非アクセス・ストラタム、ＮＡＳ、メッセージを前記ネットワーク・ノード（１１１、１１２）に送信すること（９０５）であって、前記第１ＮＡＳメッセージは、前記送信された情報に基づく前記第２タイプであり、前記ネットワーク・ノード（１１１、１１２）が前記第２タイプの前記第１ＮＡＳメッセージを前記第２タイプのコア・ネットワーク（１０２）に転送することを可能にする、ことと、をさらに有する、方法。
【請求項１５】
プロセッサ（１２１５）によって実行された場合に、前記プロセッサ（１２１５）に請求項１乃至１４の何れか１項に記載の方法の動作を実行させる命令を含むコンピュータ・プログラム（１２１７）。
【請求項１６】
通信ネットワーク（１００）内のワイヤレス・デバイス（１２０）のためのパケット・データ・コンバージェンス・プロトコル、ＰＤＣＰ、を構成するための前記ワイヤレス・デバイス（１２０）であって、前記通信ネットワーク（１００）は第１タイプのコア・ネットワーク（１０１）及び第２タイプのコア・ネットワーク（１０２）を備えるように適合され、前記ワイヤレス・デバイス（１２０）は、
異なる世代の電気通信ネットワークに関連するように適合された第１タイプ及び第２タイプのうちのどのタイプのコア・ネットワークに前記ワイヤレス・デバイスが接続する又は接続されるかに関する情報を取得することと、
第１タイプのコア・ネットワーク（１０１）及び第２タイプのコア・ネットワーク（１０２）のうちのどのタイプのコア・ネットワークに前記ワイヤレス・デバイス（１２０）が接続する又は接続されるかに基づいて、前記ワイヤレス・デバイス（１２０）のための前記ＰＤＣＰを構成することと、を行うように適合され、  前記ワイヤレス・デバイス（１２０）は、
前記ワイヤレス・デバイス（１２０）が前記第１タイプのコア・ネットワークに接続する又は接続される場合に、前記ワイヤレス・デバイス（１２０）のために、サービス品質、ＱｏＳ、フロー・アイデンティティ、ＩＤ、なしで前記ＰＤＣＰを構成することと、
前記ワイヤレス・デバイス（１２０）が前記第２タイプのコア・ネットワークに接続する又は接続される場合に、前記ワイヤレス・デバイス（１２０）のために、ＱｏＳフローＩＤありで前記ＰＤＣＰを構成することと、によって、どのタイプのコア・ネットワークに前記ワイヤレス・デバイス（１２０）が接続する又は接続されるかに基づいて前記ワイヤレス・デバイス（１２０）のための前記ＰＤＣＰを構成するようにさらに適合される、ワイヤレス・デバイス。
【請求項１７】
請求項１６に記載のワイヤレス・デバイス（１２０）であって、前記第２タイプのコア・ネットワーク（１０２）は次世代コア・ネットワーク、ＮＧＣＮ、であり、前記ワイヤレス・デバイス（１２０）はまた、ＮＧＣＮに接続することをサポートし、前記ワイヤレス・デバイス（１２０）は、
前記ワイヤレス・デバイス（１２０）がどのタイプのコア・ネットワーク・ノードと通信したいかのインジケーションを前記第１タイプのネットワーク・ノード（１１１）に送信するようにさらに構成される、ワイヤレス・デバイス。
【請求項１８】
請求項１７に記載のワイヤレス・デバイス（１２０）であって、前記インジケーションは、無線リソース制御、ＲＲＣ、プロトコル又は他のプロトコルで搬送される、ワイヤレス・デバイス。
【請求項１９】
請求項１６乃至１８の何れか１項に記載のワイヤレス・デバイス（１２０）であって、前記第２タイプのコア・ネットワーク（１０２）は次世代コア・ネットワーク、ＮＧＣＮ、であり、ネットワーク・ノード（１１１）は前記第１タイプであり、前記ワイヤレス・デバイス（１２０）は、
どのコア・ネットワークに前記ネットワーク・ノード（１１１）が接続されるかに関する情報を、前記第１タイプの前記コア・ネットワーク（１０１）からのコア・ネットワーク・ブロードキャスト・システム情報で、前記ネットワーク・ノード（１１１）から受信するようにさらに構成される、ワイヤレス・デバイス。
【請求項２０】
請求項１９に記載のワイヤレス・デバイス（１２０）であって、前記ワイヤレス・デバイス（１２０）はまた、ＮＧＣＮに接続することをサポートし、前記ワイヤレス・デバイス（１２０）は、
前記第２タイプのコア・ネットワーク（１０２）のためのＮＡＳメッセージとして第１ＮＡＳメッセージを前記コア・ネットワーク（１０２）に送信するようにさらに構成される、ワイヤレス・デバイス。
【請求項２１】
請求項１６乃至２０の何れか１項に記載のワイヤレス・デバイス（１２０）であって、
シグナリング無線ベアラ、ＳＲＢ、を構成することと、
ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含むＰＤＣＰパラメータを構成することと、のうちの任意の１つ以上によって、前記ワイヤレス・デバイス（１２０）のための前記ＰＤＣＰの構成を実行するようにさらに適合される、ワイヤレス・デバイス。
【請求項２２】
請求項１６乃至２１の何れか１項に記載のワイヤレス・デバイス（１２０）であって、
ネットワーク・ノード（１１１、１１２）がマスタ・ノードである場合に、第１タイプのコア・ネットワーク（１０１）及び第２タイプのコア・ネットワーク（１０２）のうちのどのタイプのコア・ネットワークに前記ワイヤレス・デバイス（１２０）が接続するかに基づいて、前記ワイヤレス・デバイス（１２０）のための前記ＰＤＣＰを構成することと、
前記ネットワーク・ノード（１１１、１１２）がセカンダリ・ノードである場合に、
‐第１タイプのマスタ・ノード及び第２タイプのマスタ・ノードのうちのどのタイプのマスタ・ノードに前記ネットワーク・ノード（１１１、１１２）が接続するかと、
‐第１タイプのコア・ネットワーク（１０１）及び第２タイプのコア・ネットワーク（１０２）のうちのどのタイプのコア・ネットワークに前記ワイヤレス・デバイス（１２０）が接続するかと、のうちの任意の１つ以上に基づいて、前記ワイヤレス・デバイス（１２０）のための前記ＰＤＣＰを構成することと、によって、前記構成を実行するように前記ワイヤレス・デバイスに命令するコマンドを前記通信ネットワーク（１００）内の前記ネットワーク・ノード（１１１、１１２）から受信するようにさらに適合される、ワイヤレス・デバイス。
【請求項２３】
請求項１６乃至２２の何れか１項に記載のワイヤレス・デバイス（１２０）であって、前記第１タイプの電気通信ネットワークは第４世代、４Ｇ、に関連するように適合され、前記第２タイプの電気通信ネットワークは第５世代、５Ｇ、に関連するように適合される、ワイヤレス・デバイス。
【請求項２４】
請求項１６乃至２３の何れか１項に記載のワイヤレス・デバイス（１２０）であって、ネットワーク・ノード（１１１、１１２）はマスタ・ノードであり、前記ワイヤレス・デバイス（１２０）は、
前記ネットワーク・ノード（１１１、１１２）が前記第１タイプのコア・ネットワークに接続する場合に、前記ワイヤレス・デバイス（１２０）のために、ＱｏＳフローＩＤなしで前記ＰＤＣＰを構成することと、
前記ネットワーク・ノード（１１１、１１２）が前記第２タイプのコア・ネットワークに接続する場合に、前記ワイヤレス・デバイス（１２０）のために、ＱｏＳフローＩＤありで前記ＰＤＣＰを構成することと、によって、どのタイプのコア・ネットワークに前記ワイヤレス・デバイス（１２０）が接続するかに基づいて前記ワイヤレス・デバイス（１２０）のための前記ＰＤＣＰを構成するようにさらに適合される、ワイヤレス・デバイス。
【請求項２５】
請求項２４に記載のワイヤレス・デバイス（１２０）であって、前記第１タイプのコア・ネットワークは発展型パケット・コア、ＥＰＣ、コア・ネットワークに関連するように適合され、前記第２タイプのコア・ネットワークは第５世代、５Ｇ、コア・ネットワークに関連するように適合される、ワイヤレス・デバイス（１２０）。
【発明の詳細な説明】
【技術分野】
【０００１】
本書の実施形態は、ネットワーク・ノード及びそれにおける方法に関する。特に、これらは、ワイヤレス・デバイスのためのパケット・データ・コンバージェンス・プロトコル（ＰＤＣＰ）を構成することに関する。
【背景技術】
【０００２】
典型的なワイヤレス通信ネットワークにおいて、ワイヤレス通信デバイス、移動局、ステーション（ＳＴＡ）及び／又はユーザ機器（ＵＥ）としても知られるワイヤレス・デバイスは、無線アクセス・ネットワーク（ＲＡＮ）を介して１つ以上のコア・ネットワーク（ＣＮ）と通信する。ＲＡＮは、ビーム又はビーム・グループとも呼ばれることもあるサービス・エリア又はセル・エリアに分割される地理的エリアをカバーし、各サービス・エリア又はセル・エリアは無線アクセス・ノード、例えばＷｉ‐Ｆｉ（登録商標）アクセス・ポイント又は無線基地局（ＲＢＳ）のような無線ネットワーク・ノードによってサービス提供され、これは、いくつかのネットワークにおいて、例えばノードＢ、ｅノードＢ（ｅＮＢ）、又は５Ｇで示されるｇＮＢとも呼ばれることもある。サービス・エリア又はセル・エリアは、無線ネットワーク・ノードによって無線カバレッジが提供される地理的エリアである。無線ネットワーク・ノードは、無線周波数で動作するエア・インタフェースを介して、無線ネットワーク・ノードの範囲内のワイヤレス・デバイスと通信する。
【０００３】
第４世代（４Ｇ）ネットワークとも呼ばれる発展型パケット・システム（ＥＰＳ）の仕様は、第３世代パートナシップ・プロジェクト（３ＧＰＰ）内で完了しており、この作業は例えば、５Ｇニュー・ラジオ（ＮＲ）とも呼ばれる第５世代（５Ｇ）ネットワークを特定するために、今後の３ＧＰＰリリースにおいて継続する。ＥＰＳは、ロング・ターム・エボリューション（ＬＴＥ）無線アクセス・ネットワークとしても知られる発展型ユニバーサル地上無線アクセス・ネットワーク（Ｅ‐ＵＴＲＡＮ）と、システム・アーキテクチャ・エボリューション（ＳＡＥ）コア・ネットワークとしても知られる発展型パケット・コア（ＥＰＣ）とを備える。Ｅ‐ＵＴＲＡＮ／ＬＴＥは３ＧＰＰ無線アクセス・ネットワークの変形であり、無線ネットワーク・ノードは、３Ｇネットワークで使用されるＲＮＣではなくＥＰＣコア・ネットワークに直接接続される。一般に、Ｅ‐ＵＴＲＡＮ／ＬＴＥでは、３Ｇ  ＲＮＣの機能が無線ネットワーク・ノード、例えば、ＬＴＥにおけるｅノードＢとコア・ネットワークとの間で分散される。したがって、ＥＰＳのＲＡＮは、１つ以上のコア・ネットワークに直接接続された、すなわちＲＮＣに接続されていない無線ネットワーク・ノードを含む本質的に「フラットな」アーキテクチャを有する。これを補償するために、Ｅ‐ＵＴＲＡＮ仕様は、無線ネットワーク・ノード間の直接インタフェースを規定し、このインタフェースは、Ｘ２インタフェースと呼ばれる。
【０００４】
マルチアンテナ技術は、ワイヤレス通信システムのデータ・レート及び信頼性を著しく向上できる。送信機及び受信機の両方が複数のアンテナを備え、その結果、多入力多出力（ＭＩＭＯ）通信チャネルが得られる場合に、性能は特に改善される。このようなシステム及び／又は関連技術は、一般にＭＩＭＯと呼ばれる。
【０００５】
より速いピーク・インターネット接続速度に加えて、５Ｇ計画は、現在の４Ｇよりも高い容量を目指し、単位面積当たりのより多くのモバイル・ブロードバンド・ユーザを可能にし、１ヶ月当たり且つユーザ当たりのギガ・バイトのより多くの又は無制限のデータ量の消費を可能にする。これは、人口の大部分が、Ｗｉ‐Ｆｉホットスポットの範囲外である場合に、自身のモバイル・デバイスを用いて１日に何時間も高精細メディアをストリーミングすることを実現可能にする。５Ｇの研究開発はまた、４Ｇ機器よりも低コスト、低バッテリ消費及び低レイテンシを目的として、モノのインターネットとしても知られるマシン・ツー・マシン通信の改善されたサポートを目的とする。
【０００６】
５Ｇは現在、３ＧＰＰにおいて標準化され、同時にＬＴＥは発展し続け、これは長期的であることを意味し、ＬＴＥ及び５Ｇは共存するだろう。ＬＴＥと５Ｇとの間の緊密な相互作用はエンド・ユーザにより良い性能を提供し、また、ネットワーク・オペレータのコストを節約する。そして、５ＧとＬＴＥとがどのように相互作用するかを検討するために、規格によるアーキテクチャ又は接続オプションとも呼ばれるいくつかのシナリオがある。
【０００７】
現在、ＮＧＣＮ又は５Ｇ‐ＣＮなどと呼ばれる次世代コア・ネットワークの標準化も進行中である。ＮＧＣＮは、５Ｇラジオ又はＮＲとＬＴＥとの両方の接続性をサポートする。
【０００８】
いくつかの定義：
本書で使用されるノン・スタンドアロンという用語は、追加のデータ・ブースト・キャリアとしてＮＲ  ５Ｇをサポートするための制御プレーン・アンカとしてＬＴＥを使用することを意味し、これは、ＮＲ  ５Ｇの完全な制御プレーン能力を暗示するスタンドアロンＮＲ  ５Ｇと比較して、デュアル・コネクティビティ（ＤＣ）とも呼ばれる。
【０００９】
本書で使用される場合に、マスタ・ノードという用語は、制御プレーン・アンカであるノードを意味する。制御プレーン・アンカは、ワイヤレス・デバイスのようなＵＥのための初期接続性及びモビリティを処理する。マスタ・ノードは、セットアップＤＣとも呼ばれるセカンダリ・ノードを活動化する役割も果たす。本書で使用される場合に、セカンダリ・ノードという用語は、マスタ・ノードによって提供されるユーザ・プレーン接続性に加えてユーザ・プレーン接続性を提供するノードを意味する。ＤＣ内のワイヤレス・デバイスは、マスタ・ノード及びセカンダリ・ノードの両方に同時に接続される。
【００１０】
ＬＴＥのための無線プロトコル・アーキテクチャは、制御プレーン・アーキテクチャとユーザ・プレーン・アーキテクチャとに分離される。ｅノードＢとＵＥとの間のユーザ・プレーンにおいて、アプリケーションは、伝送制御プロトコル（ＴＣＰ）、ユーザ・データグラム・プロトコル（ＵＤＰ）及びインターネット・プロトコル（ＩＰ）のようなプロトコルによって処理されるデータ・パケットを生成する。制御プレーンにおいて、無線リソース制御（ＲＲＣ）プロトコルは、ｅＮＢとＵＥとの間で交換されるシグナリング・メッセージを生成する。どちらの場合も、情報は、送信のために物理層に渡される前に、ＰＤＣＰ、無線リンク制御（ＲＬＣ）プロトコル及び媒体アクセス制御（ＭＡＣ）プロトコルによって処理される。
【００１１】
この文書における議論に関連するオプションは、３ＧＰＰで標準化されて特定されているように、以下のノン・スタンドアロン・シナリオを含む。以下のシナリオにおける実線はユーザ・プレーン・トラフィックを表し、以下のシナリオにおける破線は制御プレーン・シグナリング接続を表す。
【００１２】
オプション３）が図１に示されている。このシナリオで、ワイヤレス・デバイスは、セカンダリ・ノードとしてＮＲを使用し、ＥＰＣに接続されたマスタ・ノードとしてＬＴＥを使用している。このシナリオで、ＥＰＣ  ｅＮＢとＮＲ  ｇＮＢとの間に直接ユーザ・プレーンは存在せず、代わりにＮＲトラフィックはＬＴＥ  ｅＮＢを介してルーティングされる。
【００１３】
オプション３ａ）が図２に示されている。このシナリオで、ワイヤレス・デバイスは、セカンダリ・ノードとしてＮＲを使用し、ＥＰＣに接続されたマスタ・ノードとしてＬＴＥを使用している。このシナリオで、ＥＰＣとＮＲ  ｇＮＢとの間にユーザ・プレーンＡ１が存在する。図２のＡ１は、ユーザ・プレーン接続を意味する。
【００１４】
オプション４）が図３に示されている。このシナリオで、ワイヤレス・デバイスは、ＮＧＣＮに接続されたマスタ・ノードとして５Ｇ  ＮＲを使用している。ＬＴＥ  ｅＮＢは、セカンダリ・ノードである。このシナリオで、ＮＧＣＮとＬＴＥ  ｅＮＢとの間に直接ユーザ・プレーンは存在しない。ＬＴＥユーザ・プレーンは、５Ｇ  ＮＲノードを介してルーティングされる。
【００１５】
オプション４ａ）が図４に示されている。ここで、ワイヤレス・デバイスは、ＮＧＣＮに接続されたマスタ・ノードとして５Ｇ  ＮＲを使用している。ＬＴＥ  ｅＮＢは、セカンダリ・ノードである。このシナリオで、Ａ１と呼ばれるＮＧＣＮとＬＴＥ  ｅＮＢとの間のユーザ・プレーンは図４と同様であり、これは、ＬＴＥ  ｅＮＢデータがＮＧＣＮに直接送信されることを意味する。
【００１６】
オプション７）が図５に示されている。ここで、ワイヤレス・デバイスは、セカンダリ・ノードとしてＮＲを使用し、ＥＰＣに接続されたマスタ・ノードとしてＬＴＥを使用している。このシナリオで、ＥＰＣ  ｅＮＢとＮＲ  ｇＮＢとの間に直接ユーザ・プレーンは存在せず、代わりにＮＲトラフィックはＬＴＥ  ｅＮＢを介してルーティングされる。
【００１７】
オプション７ａ）が図６に示されている。このシナリオで、ワイヤレス・デバイスは、セカンダリ・ノードとしてＮＲを使用し、ＥＰＣに接続されたマスタ・ノードとしてＬＴＥを使用している。このシナリオで、ＥＰＣとＮＲ  ｇＮＢとの間にユーザ・プレーンＡ１が存在する。図６のＡ１類似は、ユーザ・プレーン接続を意味する。
【００１８】
プロトコルの観点から、ＮＲ  ｇＮＢのためのＰＤＣＰプロトコルはＬＴＥ  ｅＮＢのためのものとは異なり、同様に、５Ｇ  ＮＧＣＮのための非アクセス・ストラタム（ＮＡＳ）プロトコルは、ＥＰＣのためのものとは異なるが、これらは同様であってもよい。
【００１９】
ＮＡＳは、コア・ネットワークとＵＥとの間のＵＭＴＳ及びＬＴＥ無線通信プロトコル・スタックにおける機能層である。この層は通信セッションの確立を管理し、ユーザ機器が移動する際にユーザ機器との連続的な通信を維持するために使用される。ＮＡＳは、ネットワークの無線部分を介して情報を搬送する責任を負うアクセス・ストラタムとは対照的に規定される。ＮＡＳのさらなる説明は、無線ネットワークを通じて透過的に渡されるＵＥとコア・ネットワーク・ノードとの間で渡されるメッセージのためのプロトコルであるということである。ＵＥが無線接続を確立すると、ＵＥは、サービスを調整するようにコア・ネットワーク・ノードと通信するために無線接続を使用する。相違点は、アクセス・ストラタムが明示的にＵＥとＲＡＮとの間の対話のためのものであり、ＮＡＳがＵＥとコア・ネットワーク・ノードとの間の対話のためのものであることである。ＬＴＥについて、ＮＡＳの技術標準は３ＧＰＰ  ＴＳ  ２４．３０１である。
【００２０】
すなわち、ＵＥについて、それは、ＥＰＣに接続できるか又は５Ｇ  ＮＧＣＮに接続できるかのいずれかである。そのマスタ・ノードはＬＴＥ  ｅＮＢ又はＮＲ  ｇＮＢのいずれかであってもよく、そのセカンダリ・ノードは、ＬＴＥ  ｅＮＢ又はＮＲ  ｇＮＢのいずれかであってもよい。
【００２１】
問題は、ＵＥがＥＰＣ又はＮＧＣＮのいずれに接続してもよいので、そのマスタ・ノードがｅＮＢ又はｇＮＢのいずれかでありうることである。
【発明の概要】
【００２２】
したがって、本書の実施形態の目的は、複数世代の通信ネットワークを含む通信ネットワークの性能をさらに向上することである。
【００２３】
本書の実施形態の第１側面によれば、通信ネットワーク内のワイヤレス・デバイスのためのパケット・データ・コンバージェンス・プロトコル、ＰＤＣＰ、を構成するためにネットワーク・ノードによって実行される方法によって目的が達成される。通信ネットワークは第１タイプのコア・ネットワーク及び第２タイプのコア・ネットワークを備える。ネットワーク・デバイスは、ネットワーク・ノードがワイヤレス・デバイスのためのマスタ・ノードであるかセカンダリ・ノードであるかを決定する。
【００２４】
ネットワーク・ノードがマスタ・ノードである場合に、それは、第１タイプのコア・ネットワーク及び第２タイプのコア・ネットワークのうちのどのタイプのコア・ネットワークにワイヤレス・デバイスが接続するかに基づいて、ワイヤレス・デバイスのためのＰＤＣＰを構成する。
【００２５】
ネットワーク・ノードがセカンダリ・ノードである場合に、それは、‐第１タイプのマスタ・ノード及び第２タイプのマスタ・ノードのうちのどのタイプのマスタ・ノードにネットワーク・ノードが接続するかと、‐第１タイプのコア・ネットワーク及び第２タイプのコア・ネットワークのうちのどのタイプのコア・ネットワークにワイヤレス・デバイスが接続するかと、のうちの任意の１つ以上に基づいて、ワイヤレス・デバイスのためのＰＤＣＰを構成する。
【００２６】
第１タイプ及び第２タイプは、異なる世代の電気通信ネットワークに関連する。
【００２７】
本書の実施形態の第２側面によれば、通信ネットワーク内のワイヤレス・デバイスのためのパケット・データ・コンバージェンス・プロトコル、ＰＤＣＰ、を構成するためにワイヤレス・デバイスによって実行される方法によって目的が達成される。通信ネットワークは第１タイプのコア・ネットワーク及び第２タイプのコア・ネットワークを備える。ワイヤレス・デバイスは、異なる世代の電気通信ネットワークに関連する第１タイプ及び第２タイプのうちのどのタイプのコア・ネットワークにワイヤレス・デバイスが接続するかに関する情報を取得する。ワイヤレス・デバイスは、第１タイプのコア・ネットワーク及び第２タイプのコア・ネットワークのうちのどのタイプのコア・ネットワークにワイヤレス・デバイスが接続するかに基づいて、ワイヤレス・デバイスのためのＰＤＣＰを構成する。
【００２８】
本書の実施形態の第３側面によれば、通信ネットワーク内のワイヤレス・デバイスのためのパケット・データ・コンバージェンス・プロトコル、ＰＤＣＰ、を構成するためのネットワーク・ノードによって目的が達成される。通信ネットワークは第１タイプのコア・ネットワーク及び第２タイプのコア・ネットワークを備えるように適合される。ネットワーク・ノードは、
ネットワーク・ノードがワイヤレス・デバイスのためのマスタ・ノードであるかセカンダリ・ノードであるかを決定することと、
ネットワーク・ノードがマスタ・ノードである場合に、第１タイプのコア・ネットワーク及び第２タイプのコア・ネットワークのうちのどのタイプのコア・ネットワークにワイヤレス・デバイスが接続するかに基づいて、ワイヤレス・デバイスのためのＰＤＣＰを構成することと、
ネットワーク・ノードがセカンダリ・ノードである場合に、‐第１タイプのマスタ・ノード及び第２タイプのマスタ・ノードのうちのどのタイプのマスタ・ノードにネットワーク・ノードが接続するかと、‐第１タイプのコア・ネットワーク及び第２タイプのコア・ネットワークのうちのどのタイプのコア・ネットワークにワイヤレス・デバイスが接続するかと、のうちの任意の１つ以上に基づいて、ワイヤレス・デバイスのためのＰＤＣＰを構成することと、を行うように適合される。
【００２９】
第１タイプ及び第２タイプは、異なる世代の電気通信ネットワークに関連するように適合される。
【００３０】
本書の実施形態の第４側面によれば、通信ネットワーク内のワイヤレス・デバイスのためのパケット・データ・コンバージェンス・プロトコル、ＰＤＣＰ、を構成するためのワイヤレス・デバイスによって目的が達成される。通信ネットワークは第１タイプのコア・ネットワーク及び第２タイプのコア・ネットワークを備えるように適合される。ワイヤレス・デバイスは、
異なる世代の電気通信ネットワークに関連するように適合された第１タイプ及び第２タイプのうちのどのタイプのコア・ネットワークにワイヤレス・デバイスが接続するかに関する情報を取得することと、
第１タイプのコア・ネットワーク及び第２タイプのコア・ネットワークのうちのどのタイプのコア・ネットワークにワイヤレス・デバイスが接続するかに基づいて、ワイヤレス・デバイスのためのＰＤＣＰを構成することと、を行うように適合される。
【００３１】
ネットワーク・ノードはそれがマスタ・ノードであるかセカンダリ・ノードであるか、ワイヤレス・デバイスがどのタイプのコア・ネットワークに接続するか、及びネットワーク・ノードがどのタイプのマスタ・ノードに接続するかに基づいて、ワイヤレス・デバイスのためのＰＤＣＰを構成するので、ＰＤＣＰは種々のシナリオでワイヤレス・デバイスによって使用されることができる。このようにして、ＰＤＣＰは、実際のニーズに従って構成される。この結果として、プロトコル・データ・ユニット（ＰＤＵ）ヘッダのようなＰＤＣＰヘッダは特定の構成に必要な情報フィールドを含むだけでよいので、シグナリング及びデータ・オーバヘッドが少なくなり、ひいては、複数世代の通信ネットワークを含む通信ネットワークの性能がさらに向上する。
【００３２】
本書の実施形態の利点は、種々のコア・ネットワーク又はマスタ・ノードにアタッチされたワイヤレス・デバイスとの通信をサポートために同じＰＤＣＰプロトコル仕様を使用でき、種々の世代の通信ネットワークに関連する種々のコア・ネットワーク又はマスタ・ノードに接続された場合に利用可能な種々の機能及び特性に応じてＰＤＣＰプロトコルが最適に構成されることができることである。
【図面の簡単な説明】
【００３３】
本書の実施形態の例は、添付の図面を参照してより詳細に説明される。
【図１】従来技術を示す概略ブロック図である。
【図２】従来技術を示す概略ブロック図である。
【図３】従来技術を示す概略ブロック図である。
【図４】従来技術を示す概略ブロック図である。
【図５】従来技術を示す概略ブロック図である。
【図６】従来技術を示す概略ブロック図である。
【図７】通信ネットワークの実施形態を示す概略ブロック図である。
【図８】ネットワーク・ノードにおける方法の実施形態を示すフローチャートである。
【図９】ワイヤレス・デバイスにおける方法の実施形態を示すフローチャートである。
【図１０】ネットワーク・ノードにおける方法の実施形態を示すフローチャートである。
【図１１】ネットワーク・ノードの実施形態を示す概略ブロック図である。
【図１２】ワイヤレス・デバイスの実施形態を示す概略ブロック図である。
【発明を実施するための形態】
【００３４】
本発明者らは、本書の実施形態の開発の一部として、最初に説明された問題を認識した。
【００３５】
問題は、ＵＥのようなワイヤレス・デバイスがＥＰＣ又はＮＧＣＮのいずれかに接続してもよいので、そのマスタ・ノードがｅＮＢ又はｇＮＢのいずれかでありうることである。どのプロトコルを構成及び／又は使用するかを決定する必要がある。例えば、ＮＲ  ｇＮＢ又はｅＬＴＥ  ｅＮＢについて、ＵＥがＥＰＣと接続するならば、これがＮＧＣＮによって決定又は使用される際に、これらがＱｏＳフローＩＤをサポートするようにＵＥ  ＰＤＣＰプロトコルを構成する必要はない。別の例で、ｅＬＴＥ  ｅＮＢにキャンプインしているＵＥについて、このｅＬＴＥ  ｅＮＢがＮＧＣＮに接続するならば、ＵＥがＥＰＣバージョンのＮＡＳメッセージをＮＧＣＮに送信することは不適切である。本書で使用される場合に、ＱｏＳフローＩＤという用語は、ＣＮ及びＲＡＮインタフェース及び無線インタフェースを介してパケット・ヘッダで転送される情報要素を意味する。ＣＮ及びＲＡＮインタフェースを介して、汎用パケット無線サービス（ＧＰＲＳ）トンネリング・プロトコル（ＧＴＰ）ヘッダで情報要素が送信されてもよく、無線インタフェースを介して、ＰＤＣＰヘッダでそれが送信されてもよい。ＱｏＳフローＩＤは、所与のパケットがどのＱｏＳフローに関連するかを示すために、ワイヤレス・デバイス及びＮＧＣＮによって使用される。これは、その後、正しいＱｏＳ処理を保証するために、無線を介して正しいデータ無線ベアラ上にパケットをマッピングするために使用される。マッピングは、ｅＮＢのようなネットワーク・ノードにおけるＤＬと、ワイヤレス・デバイスにおけるＵＬとの両方で実行される。ＱｏＳフローとデータ無線ベアラ（ＤＲＢ）との間のマッピングは、ＲＡＮノードからワイヤレス・デバイスへ明示的にシグナリングされるか、使用されるＤＬマッピングに基づいてＲＡＮノードによって暗黙的に示されるかのいずれであってもよい。
【００３６】
要約すると、ＲＡＮノード及びＵＥの両方は、種々のシナリオにおいてどのバージョンのプロトコルを使用するかを知る必要がある。
【００３７】
本書の実施形態は、ＲＡＮノードのような各ネットワーク・ノードが、ワイヤレス・デバイスが接続するコア・ネットワークに従って、又はネットワーク・ノードが接続するマスタ・ノードに従って、ワイヤレス・デバイスのためのＰＤＣＰプロトコルを動的に構成してもよい方法を提供する。コア・ネットワークとのシグナリングを有するマスタ・ノードであるネットワーク・ノードについて、コア・ネットワーク・ノードがＥＰＣであるならば、ＱｏＳフローＩＤは構成される必要がない。コア・ネットワーク・ノードがＮＧＣＮであるならば、ＱｏＳフローＩＤが必要である。ここで、ＱｏＳフローＩＤは、ＵＥがＥＰＣに接続されるか又はＮＧＣＮに接続されるかに応じて異なりうる例示的なパラメータと見なされるべきである。他のパラメータ、例えばヘッダ圧縮関連パラメータ、暗号化アルゴリズムへの入力として使用されるＰＤＣＰシーケンス番号のような暗号化関連パラメータ、ユーザ・データの完全性保護関連のパラメータ、又はイン・シーケンス配信に関連するパラメータ、又はＰＤＣＰシーケンス番号のサイズも同じ方法で処理されてもよく、これらは異なっていてもよいし、ＵＥがＮＧＣＮに接続される場合又はマスタ・ノードがＮＲ  ｇＮＢである場合にのみ適用されてもよい。コア・ネットワークとのシグナリングを有さないセカンダリ・ノードであるネットワーク・ノードについて、それは、それが接続するマスタ・ノードをチェックする。マスタ・ノードがＬＴＥであるならば、ＱｏＳフローＩＤは必要ではなく、そうでないならば、ＱｏＳフローＩＤが必要である。ＱｏＳフローＩＤ及び他のパラメータが必要とされる場合にＰＤＣＰヘッダに含まれる必要があるだけであり、必要とされないときにそれらを含めることは不必要なシグナリング・オーバーヘッドを追加することになるので、これは利点である。
【００３８】
本書の実施形態は、ネットワーク・ノードがｅＬＴＥ  ｅＮＢであり、マスタ情報ブロック（ＭＩＢ）又はシステム情報ブロック（ＳＩＢ）１、２、…のような自身のシステム情報でそれがＮＧＣＮに接続することをサポートすることをブロードキャストする方法を提供する。システム情報は、今日、３ＧＰＰ  ３６．３３１  ＲＲＣプロトコル仕様に規定されている。ＮＧＣＮに接続することもサポートするワイヤレス・デバイスについて、それらは、どのＣＮノードと通信することを望むかのインジケーションをｅＬＴＥ  ｅＮＢに送信してもよい。インジケーションは、ＲＲＣプロトコル又は他のプロトコルで搬送されてもよい。インジケーションに加えて、それらは、それぞれのコア・ネットワークで使用されるＮＡＳプロトコルに従ってフォーマットされたＮＡＳメッセージを送信してもよい。例えば、ワイヤレス・デバイスがＮＧＣＮと通信することを望むならば、それは、ＮＧＣＮ  ＮＡＳメッセージを生成し、これをｅＬＴＥ  ｅＮＢに送信し、その結果、ｅＬＴＥ  ｅＮＢは、ＵＥ  ＮＡＳメッセージをＮＧＣＮに転送できる。ＥＰＣに接続されたレガシー・ワイヤレス・デバイスと、ＮＧＣＮへの新しいワイヤレス・デバイス接続性との両方に同じｅＬＴＥ  ｅＮＢがサービス提供することを可能にするので、これは利点である。これらのワイヤレス・デバイスは、ＮＧＣＮユーザにサービス提供するためだけに新しいキャリアを展開する必要性を回避する同じ無線チャネル又はキャリア上で多重化されてもよい。ＮＧＣＮのために新しい専用キャリアを展開することは、新しい周波数帯のライセンスを取得する必要があり、多くの無線サイト上に新しい無線ハードウェアを展開する必要があるので、オペレータにとって非常に費用がかさむ。
【００３９】
いくつかの実施形態で、ＰＤＣＰプロトコルがＱｏＳフローＩＤを含む必要があるか否かは、ＲＡＮノードのようなネットワーク・ノードがマスタ・ノードであるかセカンダリ・ノードであるか、ＲＡＮノードのようなネットワーク・ノードがＥＰＣに接続するかＮＧＣＮに接続するか、又はＲＡＮノードがＮＲ  ｇＮＢに接続するかＬＴＥ  ｅＮＢに接続するか、に依存する。
【００４０】
本書のいくつかの実施形態は、エンド・ユーザにより良い性能を提供し、また、ネットワーク・オペレータのコストを節約するＬＴＥと５Ｇとの間の緊密な相互作用に関する。
【００４１】
図７は、本書の実施形態が実装されてもよいワイヤレス通信ネットワーク１００の一例を示す。本書の実施形態を実装するワイヤレス通信ネットワーク１００は、１つ以上のＲＡＮ及び１つ以上のＣＮを備えてもよい。ワイヤレス通信ネットワーク１００は、いくつかの可能な実装を挙げると、Ｗｉ‐Ｆｉ、ロング・ターム・エボリューション（ＬＴＥ）、ＬＴＥアドバンスト、５Ｇ、広帯域符号分割多重アクセス（ＷＣＤＭＡ）、グローバル・システム・フォーＧＳＭエボリューション（ＧＳＭ／ＥＤＧＥ）、ワールドワイド・インタオペラビリティ・フォー・マイクロ波アクセス（ＷｉＭａｘ）又はウルトラ・モバイル・ブロードバンド（ＵＭＢ）のような多数の異なる技術を使用してもよい。本書の実施形態は、ＬＴＥと５Ｇとの間の緊密な相互作用のような、５Ｇコンテキストにおいて特に興味深い最近の技術動向に関する。しかし、実施形態は例えば、ＷＬＡＮ、ＷＣＤＭＡ及びＬＴＥのような他の既存のワイヤレス通信システムのさらなる発展にも適用可能である。ワイヤレス通信ネットワーク１００は、第１タイプ及び第２タイプのワイヤレス通信ネットワークを備えてもよい。第１タイプ及び第２タイプは、４Ｇワイヤレス通信ネットワーク及び５Ｇワイヤレス通信ネットワークのような異なる世代の電気通信ネットワークに関連する。
【００４２】
ワイヤレス通信ネットワーク１００は、例えばＥＰＣのような第１タイプのコア・ネットワーク１０１と、例えばＮＧＣＮのような第２タイプのコア・ネットワーク１０２とを備える。
【００４３】
ネットワーク・ノード１１１、１１２は、ワイヤレス通信ネットワーク１００内で動作する。ネットワーク・ノード１１１、１１２は、地理的エリアにわたって無線カバレッジを提供する。ネットワーク・ノード１１１、１１２は、例えば、使用される第１無線アクセス技術及び用語に応じて、送信及び受信ポイント、例えば、ワイヤレス・ローカル・エリア・ネットワーク（ＷＬＡＮ）アクセス・ポイント又はアクセス・ポイント・ステーション（ＡＰ  ＳＴＡ）のような無線アクセス・ネットワーク・ノード、アクセス・コントローラ、基地局、例えば、ノードＢのような無線基地局、発展型ノードＢ（ｅＮＢ、ｅノードＢ）、ｇＮＢのような５Ｇ基地局、基地送受信局、無線遠隔ユニット、アクセス・ポイント基地局、基地局ルータ、無線基地局の送信装置、スタンドアロン・アクセス・ポイント、又はネットワーク・ノード１１１、１１２によってサービス提供されるサービス・エリア内のワイヤレス・デバイスと通信できる任意の他のネットワーク・ユニットであってもよい。ネットワーク・ノード１１１、１１２はサービング無線ネットワーク・ノードと呼ばれてもよく、ワイヤレス・デバイス１２０からのダウンリンク（ＤＬ）送信及びアップリンク（ＵＬ）送信でワイヤレス・デバイス１２０と通信する。本書の実施形態によるネットワーク・ノードは例えば、ＬＴＥのｅＮＢのような第１タイプのネットワーク・ノード１１１、又は５ＧのｇＮＢのような第２タイプのネットワーク・ノードのいずれかであってもよい。したがって、本書の実施形態によるネットワーク・ノードは、ネットワーク・ノード１１１、１１２と呼ばれる。よって、第１タイプ及び第２タイプは、異なる世代の電気通信ネットワークに関連する。本書の実施形態によるネットワーク・ノード１１１、１１２が例えば、ＬＴＥのｅＮＢのような第１タイプのネットワーク・ノード１１１である場合に、それは、例えばＬＴＥを使用して、第１タイプのＲＡＮ１１６で動作してもよい。本書の実施形態によるネットワーク・ノード１１１、１１２が、例えば５ＧのｇＮＢのような第２タイプのネットワーク・ノード１１２である場合に、それは、例えば５Ｇ  ＮＲを使用して、第２タイプのＲＡＮ１１７で動作してもよい。
【００４４】
ワイヤレス通信ネットワーク１００において、例えばワイヤレス・デバイス１２０のような無線ノードが動作する。ワイヤレス・デバイス１２０は、ＵＥ、移動局、非アクセス・ポイント（非ＡＰ）ＳＴＡ、ＳＴＡ、ユーザ機器、及び／又はワイヤレス端末であり、１つ以上のアクセス・ネットワーク（ＡＮ）、例えばＲＡＮを介して１つ以上のコア・ネットワーク（ＣＮ）と通信してもよい。「ワイヤレス・デバイス」が、任意の端末、ワイヤレス通信端末、ユーザ機器、マシン・タイプ通信（ＭＴＣ）デバイス、デバイス・ツー・デバイス（Ｄ２Ｄ）端末、又はノード、例えば、スマートフォン、ラップトップ、モバイルフォン、センサ、中継器、モバイル・タブレット、又はセル内で通信する小型基地局を意味する非限定的な用語であることが当業者によって理解されるはずである。ワイヤレス・デバイス１２０は、４Ｇワイヤレス通信ネットワーク及び５Ｇワイヤレス通信ネットワークのような第１タイプ及び第２タイプの異なる世代の電気通信ネットワークをサポートしてもよい。
【００４５】
通信ネットワーク１００内のワイヤレス・デバイス１２０のためのパケット・データ・コンバージェンス・プロトコル、ＰＤＣＰ、を構成する方法は、ネットワーク・ノード１１１、１１２によって実行される。代替として、例えば図７に示すようなクラウド１３０に含まれる分散ノード（ＤＮ）及び機能が方法を実行するために又は方法を部分的に実行するために使用されてもよい。
【００４６】
図８に示すフローチャートを参照して、通信ネットワーク１００内のワイヤレス・デバイス１２０のためのＰＤＣＰを構成するためにネットワーク・ノード１１１、１１２によって実行される方法の例示的な実施形態を説明する。上述のように、第１タイプ及び第２タイプは、異なる世代の電気通信ネットワークに関連する。第１タイプの電気通信ネットワークは４Ｇに関連してもよく、第２タイプの電気通信ネットワークは５Ｇに関連してもよい。通信ネットワーク１００は、第１タイプのコア・ネットワーク１０１及び第２タイプのコア・ネットワーク１０２を備える。
【００４７】
本方法は以下の動作を有し、この動作は以下で説明するように任意の適切な順序で行われてもよい。オプションである動作は、図８の破線のボックスに示されている。
【００４８】
動作８０１
例示的なシナリオによれば、ワイヤレス・デバイス１２０は、ワイヤレス通信ネットワーク１００において通信しようとしている。これは、ネットワーク・ノード１１１、１１２によって、すなわち、ネットワーク・ノード１１１又はネットワーク・ノード１１２のいずれかによってサービス提供される。ワイヤレス・デバイス１２０のためのＰＤＣＰを動的な方法でどのように構成するかを知るために、ネットワーク・ノード１１１、１１２は、ネットワーク・ノード１１１、１１２がワイヤレス・デバイス１２０のためのマスタ・ノードであるか又はセカンダリ・ノードであるかを決定する。これは、以下でワイヤレス・デバイス１２０のためのＰＤＣＰをどのように構成するかを決定するための基礎となる。
【００４９】
本書の実施形態の例示的なシナリオによれば、ネットワーク・ノード１１１、１１２のようなＲＡＮノードについて、ＰＤＣＰプロトコルの構成がパラメータを含む必要があるか否かの決定は、このネットワーク・ノード１１１、１１２の役割、それがマスタ・ノードであるかセカンダリ・ノードであるかに依存する。パラメータは、ＱｏＳフローＩＤ、ヘッダ圧縮関連パラメータ、暗号化アルゴリズムへの入力として使用されるＰＤＣＰシーケンス番号のような暗号化関連パラメータ、ユーザ・データの完全性保護に関連するパラメータ、又はイン・シーケンス配信に関連するパラメータ、又はＰＤＣＰシーケンス番号のサイズのうちの任意の１つ以上を含んでもよい。
【００５０】
ネットワーク・ノード１１１、１１２がマスタ・ノードであるならば、ネットワーク・ノード１１１、１１２は、ワイヤレス・デバイス１２０がどのコア・ネットワークに接続するかに従ってＰＤＣＰを構成する。これについて、以下の動作８０３で説明する。これは、ＰＤＣＰの特定の機能がコア・ネットワークのうちの１つに対してのみサポートされるか又は有用であるからである。ワイヤレス・デバイス１２０が例えばＥＰＣのような第１タイプのコア・ネットワーク１０１に接続するならば、ネットワーク・ノード１１１、１１２は、ＱｏＳフローＩＤを含まないようにワイヤレス・デバイス１２０のためのＰＤＣＰを構成する。ワイヤレス・デバイス１２０が例えば５Ｇ  ＮＧＣＮのような第２タイプのコア・ネットワーク１０２に接続するならば、ネットワーク・ノード１１１、１１２は、ＱｏＳフローＩＤを含むようにワイヤレス・デバイス１２０のためのＰＤＣＰを構成する。
【００５１】
ネットワーク・ノード１１１、１１２がセカンダリ・ノードであるならば、ネットワーク・ノード１１１、１１２は、ネットワーク・ノード１１１、１１２がどのマスタ・ノードに接続するかに従ってＰＤＣＰを構成する。これについて、以下の動作８０４で説明する。これは、ＰＤＣＰによってサポートされる特定の機能が、マスタｅＮＢが特定のタイプのものである場合にのみサポートされるか又は有用であるからである。ネットワーク・ノード１１１、１１２がＮＲ  ｇＮＢのマスタ・ノードに接続するならば、それは、ＱｏＳフローＩＤを含むようにワイヤレス・デバイス１２０のＰＤＣＰを構成する。それがＬＴＥ  ｅＮＢのマスタ・ノードに接続するならば、それは、ＱｏＳフローＩＤを含まないようにワイヤレス・デバイス１２０のＰＤＣＰを構成する。
【００５２】
ネットワーク・ノード１１１、１１２がセカンダリ・ノードであるならば、ネットワーク・ノード１１１、１１２は、ワイヤレス・デバイス１２０がどのコア・ネットワークに接続するかに従ってＰＤＣＰをさらに構成してもよい。これについて、以下の動作８０４で説明する。これは、ＰＤＣＰの特定の機能がコア・ネットワークのうちの１つに対してのみサポートされるか又は有用であるからである。ワイヤレス・デバイス１２０が例えばＥＰＣのような第１タイプのコア・ネットワーク１０１に接続するならば、ネットワーク・ノード１１１、１１２は、ＱｏＳフローＩＤを含まないようにワイヤレス・デバイス１２０のためのＰＤＣＰを構成する。ワイヤレス・デバイス１２０が例えば５Ｇ  ＮＧＣＮのような第２タイプのコア・ネットワーク１０２に接続するならば、ネットワーク・ノード１１１、１１２は、ＱｏＳフローＩＤを含むようにワイヤレス・デバイス１２０のためのＰＤＣＰを構成する。
【００５３】
動作８０２
いくつかの実施形態で、ネットワーク・ノード１１１、１１２は、第１タイプのコア・ネットワーク１０１及び第２タイプのコア・ネットワーク１０２のうちのどのタイプのコア・ネットワークにワイヤレス・デバイス１２０が接続するかを決定する。第１タイプのコア・ネットワークはＥＰＣコア・ネットワークに関連してもよく、第２タイプのコア・ネットワークはＮＧＣＮのような５Ｇコア・ネットワークに関連する。
【００５４】
ワイヤレス・デバイス１２０がどのタイプのコア・ネットワークに接続するかをネットワーク・ノード１１１、１１２が決定するための種々の方法が存在する。
【００５５】
１つの方法は、オペレーション・アンド・マネジメント（ＯＡＭ）から取得した静的に構成された情報に基づいてそれを決定することである。例えば、ＯＡＭにおいて、ＥＰＣに対応するコア・ネットワーク・ノードＩＤはどれか、どのコアノードＩＤがＮＧＣＮに対応するか、又はどのＩＰアドレスがＥＰＣに対応するか、他のどのＩＰアドレスがＮＧＣＮに対応するかが指定される。その後、ネットワーク・ノード１１１、１１２はコア・ネットワークに連絡することを決定した場合に、このような情報を知ってもよい。
【００５６】
別の方法は、コア・ネットワークからのシグナリングで取得される動的情報に基づいてそれを決定することである。ネットワーク・ノード１１１、１１２は、コア・ネットワークからネットワーク・ノード１１１、１１２へのシグナリング・メッセージを介してコア・ネットワークのタイプを知ることに基づいて決定してもよい。シグナリング情報は、ネットワーク・ノードがどのコア・ネットワーク・タイプと通信しているかを示す特定のプロトコル又は情報要素を含んでもよい。
【００５７】
これらの実施形態のうちのいくつか又はネットワーク・ノード１１１、１１２がセカンダリ・ノードであるいくつかの他の実施形態で、ネットワーク・ノード１１１、１１２は、第１タイプのマスタ・ノード及び第２タイプのマスタ・ノードのうちのどのタイプのマスタ・ノードにネットワーク・ノード１１１、１１２が接続するかを決定する。
【００５８】
ネットワーク・ノード１１１、１１２がどのマスタ・ノードに接続するかを決定する方法は、上記のコア・ネットワークのタイプを決定する方法と同様であってもよい。
【００５９】
１つの方法は、ＯＡＭから取得した静的に構成された情報に基づいてそれを決定することである。すなわち、ＯＡＭにおいて、ＬＴＥ  ｅＮＢに対応するＲＡＮノードＩＤのようなネットワーク・ノードＩＤはどれか、及びＮＲ  ｇＮＢに対応するネットワーク・ノードＩＤはどれか、又はどのＩＰアドレスがＮＲ  ｇＮＢのノードに対応するか、どのノードＩＤ又はＩＰアドレスがＬＴＥ  ｅＮＢのノードに対応するかが指定される。
【００６０】
別の方法は、ＲＡＮマスタ・ノードのようなマスタ・ノードからのシグナリングからの動的情報に基づいてそれを決定することである。セカンダリ・ノードであるネットワーク・ノード１１１、１１２は、マスタ・ノードから、セカンダリ・ノードであるネットワーク・ノード１１１、１１２へのシグナリングを介してこのような情報を知ってもよい。シグナリング情報は、ネットワーク・ノードがどのコア・ネットワーク・タイプと通信しているかを示す特定のプロトコル又は情報要素を含んでもよい。
【００６１】
動作８０３
この動作は、ネットワーク・ノード１１１、１１２がマスタ・ノードである実施形態において実行される。
【００６２】
ネットワーク・ノード１１１、１１２がマスタ・ノードである場合に、ネットワーク・ノード１１１、１１２は、第１タイプのコア・ネットワーク１０１及び第２タイプのコア・ネットワーク１０２のうちのどのタイプのコア・ネットワークにワイヤレス・デバイス１２０が接続するかに基づいて、ワイヤレス・デバイス１２０のためのＰＤＣＰを構成する。
【００６３】
ワイヤレス・デバイス１２０のためのＰＤＣＰの構成は、ネットワークのタイプ、及びネットワーク・ノード１１１、１１２がマスタ・ノードであることに応じて異なってもよいＰＤＣＰパラメータを構成することを含んでもよい。これらのＰＤＣＰパラメータは、ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含んでもよい。
【００６４】
ネットワーク・ノード１１１、１１２がマスタ・ノードであるこれらの実施形態のいくつかで、ワイヤレス・デバイス１２０がどのタイプのコア・ネットワークに接続するかに基づいてワイヤレス・デバイス１２０のためのＰＤＣＰを構成することは、
‐ネットワーク・ノード１１１、１１２が第１タイプのコア・ネットワークに接続する場合に、ワイヤレス・デバイス１２０のために、サービス品質、ＱｏＳ、フロー・アイデンティティ、ＩＤ、なしでＰＤＣＰを構成することと、
‐ネットワーク・ノード１１１、１１２が第２タイプのコア・ネットワークに接続する場合に、ワイヤレス・デバイス１２０のために、ＱｏＳフローＩＤありでＰＤＣＰを構成することと、を含んでもよい。
【００６５】
動作８０４
この動作は、ネットワーク・ノード１１１、１１２がセカンダリ・ノードである実施形態において実行される。
【００６６】
これらの実施形態で、ネットワーク・ノード１１１、１１２がセカンダリ・ノードである場合に、ネットワーク・ノード１１１、１１２は、
‐（１）第１タイプのマスタ・ノード及び第２タイプのマスタ・ノードのうちのどのタイプのマスタ・ノードにネットワーク・ノード１１１、１１２が接続するかと、
‐（２）第１タイプのコア・ネットワーク１０１及び第２タイプのコア・ネットワーク１０２のうちのどのタイプのコア・ネットワークにワイヤレス・デバイス１２０が接続するかと、
のうちの任意の１つ以上に基づいて、ワイヤレス・デバイス１２０のためのＰＤＣＰを構成する。
【００６７】
これらの実施形態で、２つのオプション（１）及び（２）が存在する。第１オプション（１）は、ＰＤＣＰ構成がマスタ・ノードに依存する場合に使用されてもよい。これは、例えば、マスタ・ノードがどのプロトコル・リリース又は無線アクセス・タイプであるかに関連してもよい。第２オプション（２）は、ワイヤレス・デバイス１２０が接続されるコア・ネットワーク・タイプにＰＤＣＰ構成が依存する場合に使用されてもよく、例えば、どのＱｏＳフレームワークが使用されるか、又はどのセキュリティ構成が適用されるかに関連してもよい。
【００６８】
ワイヤレス・デバイス１２０のためのＰＤＣＰの構成は、ネットワークのタイプ、及びネットワーク・ノード１１１、１１２がセカンダリ・ノードであることに応じて異なってもよいＰＤＣＰパラメータを構成することを含んでもよい。これらのＰＤＣＰパラメータは、ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含んでもよい。
【００６９】
ネットワーク・ノード１１１、１１２がセカンダリ・ノードである実施形態において、（１）ネットワーク・ノード１１１、１１２がどのタイプのマスタ・ノードに接続するか基づいて、ワイヤレス・デバイス１２０のためのＰＤＣＰを構成することは、ネットワーク・ノード１１１、１１２が第１タイプのマスタ・ノードに接続する場合に、ワイヤレス・デバイス１２０のためにＱｏＳフローＩＤなしでＰＤＣＰを構成することと、ネットワーク・ノード１１１、１１２が第２タイプのマスタ・ノードに接続する場合に、ワイヤレス・デバイス１２０のためにＱｏＳフローＩＤありでＰＤＣＰを構成することと、を含んでもよい。第１タイプのマスタ・ノードはＬＴＥネットワーク・ノードに関連してもよく、第２タイプのマスタ・ノードは５Ｇコア・ネットワークに関連してもよい。
【００７０】
ネットワーク・ノード１１１、１１２がセカンダリ・ノードである実施形態で、（２）ワイヤレス・デバイス１２０がどのタイプのコア・ネットワークに接続するかに基づいてワイヤレス・デバイス１２０のためのＰＤＣＰを構成することは、ワイヤレス・デバイス１２０が第１タイプのコア・ネットワークに接続する場合に、ワイヤレス・デバイス１２０のためにＱｏＳフローＩＤなしでＰＤＣＰを構成することと、ネットワーク・ノード１１１、１１２が第２タイプのコア・ネットワークに接続する場合に、ワイヤレス・デバイス１２０のためにＱｏＳフローＩＤありでＰＤＣＰを構成することと、を含んでもよい。
【００７１】
動作８０５
ネットワーク・ノード１１１、１１２が第１タイプのネットワーク・ノード１１１であり第２タイプのコア・ネットワーク１０２に接続でき、ワイヤレス・デバイス１２０が第２タイプのコア・ネットワーク１０２に接続できる実施形態で、以下のＮＡＳプロトコルの構成の動作８０５〜８０７が実行されてもよい。
【００７２】
ｅＬＴＥ  ｅＮＢであるネットワーク・ノード１１１について、それは、４Ｇワイヤレス・デバイス及び５Ｇワイヤレス・デバイスの両方のためのサービスをサポートする必要があるので、ＥＰＣ及びＮＧＣＮの両方に接続してもよい。これは、各ＲＡＮノードが１つのタイプのコア・ネットワークにしか接続できないレガシー・システムとは異なる。
【００７３】
このため、例えばｅＬＴＥ  ｅＮＢであるネットワーク・ノード１１１から、どのＣＮがサポートされるかのインジケーションのような特別なものがないならば、ワイヤレス・デバイス１２０は、コア・ネットワークに接続するためにどのＮＡＳバージョンを使用する必要があるかを決定できない。
【００７４】
したがって、ｅＬＴＥ  ｅＮＢであるネットワーク・ノード１１１は、自身のブロードキャスト・システム情報においてネットワーク・ノード１１１がどのコア・ネットワークに接続するかをワイヤレス・デバイス１２０に通知する必要がある。または、少なくとも、ｅＬＴＥ  ｅＮＢであるネットワーク・ノード１１１がＮＧＣＮに接続するならば、それは、それがＮＧＣＮに接続できることをワイヤレス・デバイス１２０に通知する必要がある。
【００７５】
ワイヤレス・デバイス１２０がこのような情報を検出すると、ワイヤレス・デバイス１２０がＮＧＣＮのような第２タイプのコア・ネットワークに接続することもサポートするならば、ワイヤレス・デバイス１２０によってコア・ネットワークに向けて送信される第１ＮＡＳメッセージは、ＮＧＣＮのような第２タイプのコア・ネットワークのためのＮＡＳになる。
【００７６】
その後、この第１ＮＡＳメッセージを検出することによって、ｅＬＴＥ  ｅＮＢであるネットワーク・ノード１１１は、ワイヤレス・デバイス１２０がＮＧＣＮのような第２タイプのコア・ネットワークからよりよいサービスを享受できるように、ワイヤレス・デバイス１２０をＮＧＣＮのような第２タイプのコア・ネットワークに導いてもよい。
【００７７】
よって、この動作で、ネットワーク・ノード１１１は、ネットワーク・ノード１１１、１１２が第２タイプのコア・ネットワークに接続できるという情報をワイヤレス・デバイス１２０へ送信してもよい。
【００７８】
動作８０６
これらの実施形態で、ネットワーク・ノード１１１は、送信された情報に基づいて第２タイプのＮＡＳメッセージである第１ＮＡＳメッセージをワイヤレス・デバイス１２０から受信してもよい。
【００７９】
動作８０７
ＮＡＳメッセージが第２タイプであることに基づいて、ネットワーク・ノード１１１は、これらの実施形態で、その後、第２タイプのＮＡＳメッセージを第２タイプのコア・ネットワーク１０２に転送してもよい。
【００８０】
動作８０８
いくつかの実施形態で、ネットワーク・ノード１１１、１１２は、通信ネットワーク１００内のネットワーク・ノード１１１、１１２からコマンドを送信し、上記に従って実行される構成を実行するようにワイヤレス・デバイスに命令する。
【００８１】
上述のように、上記の動作は、任意の適切な順序で実行されてもよい。例えば、ＰＤＣＰのユーザ・プレーン処理に関して、ワイヤレス・デバイス１２０は、ＰＤＣＰユーザ・プレーンがセットアップされる前であっても、正しいＣＮへのＮＡＳシグナリングを実行してもよい。実際、ユーザ・プレーンのＰＤＣＰ構成は例えば、以下の例（図示せず）におけるステップに従って、ワイヤレス・デバイス１２０がどのＣＮにアタッチされているかをＲＡＮが知った後に生じる。
１．ネットワーク内のネットワーク・ノード１１１、１１２は、ＮＧＣＮ及びＥＰＣについてのサポートをブロードキャストする。
２．ワイヤレス・デバイス１２０は、ＮＧＣＮ  ＮＡＳを使用しているＮＡＳメッセージを生成することを意味する、ＮＧＣＮに接続することを選択する。ワイヤレス・デバイス１２０は、このメッセージと、ＲＡＮ１１６、１１７のようなＲＡＮに、自身がＮＧＣＮに接続したいというインジケーションとを送信する。
３．その後、ＮＧＣＮへのアタッチを完了するための何らかのシグナリングが存在する。
４．ＲＡＮは、ワイヤレス・デバイス１２０が現在ＮＧＣＮに接続されているというインジケーションをＣＮから得る。
５．ＲＡＮは、この情報に基づいて、データ送信に使用されるＰＤＣＰプロトコルを構成する。
６．ＲＡＮは、この構成をワイヤレス・デバイス１２０へ送信する。
７．ワイヤレス・デバイス１２０は、この構成をローカルで適用する。
８．その後、データが送信されうる。
【００８２】
ユーザ・プレーンのためのＰＤＣＰの構成を示す上記の構成に加えて、制御プレーンのためのＰＤＣＰの構成も存在してもよい。これは、ワイヤレス・デバイス１２０が最初のメッセージを例えばステップ２でネットワークに送信する場合に、ＰＤＣＰをローカルで構成する必要があるかもしれないことを意味する。これは、ＰＤＣＰがＲＲＣ及びＮＡＳメッセージを搬送するためにも使用されるからである。その後、ステップ２とステップ３との間で制御プレーン・メッセージ、例えば、ＲＲＣ接続セットアップ又は再構成のために使用されるＰＤＣＰをさらに構成するために、ＲＡＮからのいくつかの他のメッセージが存在してもよい。制御プレーン・メッセージのためのＰＤＣＰについて、ＱｏＳフローＩＤが使用される可能性は低いので、このようにして、ワイヤレス・デバイス１２０がどのタイプのコア・ネットワークに接続しているかに応じて、それが異なっていなくてもよい。しかし、例えばＱｏＳフローＩＤ、ヘッダ圧縮関連パラメータ、暗号化アルゴリズムへの入力として使用されるＰＤＣＰシーケンス番号のような暗号化関連パラメータ、ユーザ・データの完全性保護に関連するパラメータ、又はイン・シーケンス配信に関連するパラメータ、又はＰＤＣＰシーケンス番号のサイズのうちの任意の１つ以上のような、異なるいくつかの他のパラメータが存在してもよい。
【００８３】
さらに、ワイヤレス・デバイス１２０がコア・ネットワークにアタッチされる前であっても、ネットワークとの最初の通信で使用されるシグナリング無線ベアラ（ＳＲＢ）のために実行されるワイヤレス・デバイス１２０のためのＰＤＣＰのいくつかの構成が存在してもよい。また、このＰＤＣＰ構成は、コア・ネットワーク固有のタイプであってもよい。これはまた、潜在的に、ワイヤレス・デバイスがどのタイプのコア・ネットワークに接続するかの知識だけに基づいてこの構成がワイヤレス・デバイス１２０に対して行われるので、有利である。ＲＡＮから追加の命令が送信されなくてもよい。
【００８４】
図９に示すフローチャートを参照して、通信ネットワーク１００内のワイヤレス・デバイス１２０のためのＰＤＣＰを構成するためにワイヤレス・デバイス１２０によって実行される方法の例示的な実施形態を説明する。上述したように、第１タイプ及び第２タイプは、異なる世代の電気通信ネットワークに関連する。第１タイプの電気通信ネットワークは４Ｇに関連してもよく、第２タイプの電気通信ネットワークは５Ｇに関連してもよい。
【００８５】
通信ネットワーク１００は、第１タイプのコア・ネットワーク１０１及び第２タイプのコア・ネットワーク１０２を備える。
【００８６】
本方法は以下の動作を備え、これらの動作は任意の適切な順序で行われてもよい。オプションである動作は、図９の破線のボックスに示されている。
【００８７】
ワイヤレス・デバイス１２０は、ワイヤレス・デバイス１２０がどのタイプのコア・ネットワークに接続するかの知識に基づいて、データの送信又はネットワークへのシグナリングのために使用される自身のＰＤＣＰ層を構成してもよい。構成は、暗号化及び完全性保護アルゴリズム、又はパラメータ設定を含む種々のセキュリティ構成を含んでもよい。それはまた、異なるＰＤＣＰシーケンス番号長又は他のＰＤＣＰヘッダ・フィールドを含んでもよい。ワイヤレス・デバイス１２０は、ワイヤレス・デバイス１２０がどのＣＮに接続しているかに応じて、特定のＮＡＳプロトコルを使用することを選択してもよい。
【００８８】
動作９０１
ワイヤレス・デバイス１２０は、ワイヤレス・デバイスが第１タイプ及び第２タイプのうちのどのタイプのコア・ネットワークに接続するかに関する情報を取得し、第１タイプ及び第２タイプは、異なる世代の電気通信ネットワークに関連する。これは、ワイヤレス・デバイス１２０が接続又は登録しようと試みたコア・ネットワークからワイヤレス・デバイス１２０が確認応答を得ることによって取得されてもよい。確認応答は、ワイヤレス・デバイス１２０がそのコア・ネットワークに接続されるとみなされるべきであることを暗示しうる。
【００８９】
動作９０２
ワイヤレス・デバイス１２０がどのタイプのコア・ネットワークに接続しているか又は接続されるかの知識だけに基づいて、ワイヤレス・デバイス１２０が実行するＰＤＣＰのいくつかの初期構成が存在してもよい。これは、シグナリングのために使用されるＰＤＣＰの典型例であってもよい。
【００９０】
ワイヤレス・デバイス１２０が接続され、ユーザ・プレーン・データを送信及び／又は受信するためにネットワーク内でアクティブになると、ユーザ・データのためのＰＤＣＰ層がネットワークによって構成される。ワイヤレス・デバイス１２０においてＰＤＣＰ層をどのように構成するかに関する指示を含むＲＲＣ構成コマンドがワイヤレス・デバイス１２０に送信されてもよい。しかし、この指示は、それがどのタイプのコア・ネットワークに接続されるかについてのワイヤレス・デバイス１２０の自身の知識と組み合わされる可能性が最も高くてもよく、これはとりわけ、以下のことを意味する。ワイヤレス・デバイス１２０は、特定のタイプのコア・ネットワークに使用されるＰＤＣＰ構成に準拠しない構成のみを受け入れてもよく、ワイヤレス・デバイス１２０はまた、ワイヤレス・デバイス１２０が特定のタイプのコア・ネットワークに接続されることをワイヤレス・デバイス１２０及びＲＡＮの両方が知っているので、シグナリングされる必要がないＰＤＣＰ構成の欠落部分を埋めてもよい。
【００９１】
よって、本書のいくつかの実施形態によれば、ワイヤレス・デバイス１２０は、通信ネットワーク１００内のネットワーク・ノード１１１、１１２からコマンドを受信し、ワイヤレス・デバイスに構成を実行するように命令する。
【００９２】
コマンドは、以下の動作９０３のオプションのうちのどの１つであるかを特定してもよい。
【００９３】
動作９０３
本書の実施形態によれば、ワイヤレス・デバイス１２０は、第１タイプのコア・ネットワーク１０１及び第２タイプのコア・ネットワーク１０２のうちのどのタイプのコア・ネットワークにワイヤレス・デバイス１２０が接続するかに基づいて、ワイヤレス・デバイス１２０のためのＰＤＣＰを構成する。ワイヤレス・デバイス１２０がどのタイプのコア・ネットワークに接続するかにＰＤＣＰの構成が基づくことによる利点は、ワイヤレス・デバイス１２０がそのコア・ネットワークに適した方法でいくつかのパラメータを構成するために、どのコア・ネットワークに接続されるかの知識を使用してもよいので、ＰＤＣＰ構成のすべてのパラメータをネットワークからワイヤレス・デバイス１２０にシグナリングする必要がないことである。さらに、ワイヤレス・デバイス１２０は、ワイヤレス・デバイス１２０が接続されているコア・ネットワークと一致しない誤った構成を検出し、報告してもよく、起こりうるエラー・ケースが検出されないことを回避する。さらに、ワイヤレス・デバイス１２０は、ワイヤレス・デバイス１２０が接続すること又は接続されることを望むコア・ネットワークに適したＰＤＣＰ構成に基づいて、ネットワークから任意の詳細な指示を受信する前に、例えば、最初のシグナリングのために使用される最初のＰＤＣＰ構成を構成してもよい。
【００９４】
ワイヤレス・デバイス１２０のためのＰＤＣＰの構成は、ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含むＰＤＣＰパラメータを構成することを含んでもよい。
【００９５】
どの構成を実行するかは、いくつかの実施形態においてコマンドで特定されてもよい。
【００９６】
いくつかの実施形態で、ネットワーク・ノード１１１、１１２がマスタ・ノードである場合に、ワイヤレス・デバイス１２０は、第１タイプのコア・ネットワーク１０１及び第２タイプのコア・ネットワーク１０２のうちのどのタイプのコア・ネットワークにワイヤレス・デバイス１２０が接続するかに基づいて、ワイヤレス・デバイス１２０のためのＰＤＣＰを構成する。
【００９７】
ネットワーク・ノード１１１、１１２がマスタ・ノードである実施形態で、ワイヤレス・デバイス１２０がどのタイプのコア・ネットワークに接続するかに基づいてワイヤレス・デバイス１２０のためのＰＤＣＰを構成することは、
‐ネットワーク・ノード１１１、１１２が第１タイプのコア・ネットワークに接続する場合に、ワイヤレス・デバイス１２０が、ワイヤレス・デバイス１２０のためにＱｏＳフローＩＤなしでＰＤＣＰを構成することと、‐ネットワーク・ノード１１１、１１２が第２タイプのコア・ネットワークに接続する場合に、ワイヤレス・デバイス１２０が、ワイヤレス・デバイス１２０のためにＱｏＳフローＩＤありでＰＤＣＰを構成することと、を含んでもよい。
【００９８】
いくつの実施形態で、ネットワーク・ノード１１１、１１２がセカンダリ・ノードである場合に、ワイヤレス・デバイス１２０は、
‐（１）第１タイプのマスタ・ノード及び第２タイプのマスタ・ノードのうちのどのタイプのマスタ・ノードにネットワーク・ノード１１１、１１２が接続するかと、
‐（２）第１タイプのコア・ネットワーク１０１及び第２タイプのコア・ネットワーク１０２のうちのどのタイプのコア・ネットワークにワイヤレス・デバイス１２０が接続するかと、
のうちの１つ以上に基づいて、ワイヤレス・デバイス１２０のためのＰＤＣＰを構成する。
【００９９】
ネットワーク・ノード１１１、１１２がセカンダリ・ノードである実施形態において、（１）ネットワーク・ノード１１１、１１２がどのタイプのマスタ・ノードに接続するかに基づいて、ワイヤレス・デバイス１２０のためのＰＤＣＰを構成することは、ネットワーク・ノード１１１、１１２が第１タイプのマスタ・ノードに接続する場合に、ワイヤレス・デバイス１２０のためにＱｏＳフローＩＤなしでＰＤＣＰを構成することと、ネットワーク・ノード１１１、１１２が第２タイプのマスタ・ノードに接続する場合に、ワイヤレス・デバイス１２０のためにＱｏＳフローＩＤありでＰＤＣＰを構成することと、を含んでもよい。第１タイプのマスタ・ノードはＬＴＥネットワーク・ノードに関連してもよく、第２タイプのマスタ・ノードは５Ｇコア・ネットワークに関連してもよい。
【０１００】
ネットワーク・ノード１１１、１１２がセカンダリ・ノードである実施形態で、（２）ワイヤレス・デバイス１２０がどのタイプのコア・ネットワークに接続するかに基づいてワイヤレス・デバイス１２０のためのＰＤＣＰを構成することは、ワイヤレス・デバイス１２０が第１タイプのコア・ネットワークに接続する場合に、ワイヤレス・デバイス１２０のためにＱｏＳフローＩＤなしでＰＤＣＰを構成することと、ネットワーク・ノード１１１、１１２が第２タイプのコア・ネットワークに接続する場合に、ワイヤレス・デバイス１２０のためにＱｏＳフローＩＤありでＰＤＣＰを構成することと、を含んでもよい。
【０１０１】
第１タイプの電気通信ネットワークは４Ｇに関連してもよく、第２タイプの電気通信ネットワークは５Ｇに関連してもよい。さらに、第１タイプのコア・ネットワークはＥＰＣコア・ネットワークに関連してもよく、第２タイプのコア・ネットワークは５Ｇコア・ネットワークに関連してもよい。
【０１０２】
動作９０４
ネットワーク・ノード１１１、１１２が第１タイプのネットワーク・ノードであり第２タイプのコア・ネットワーク１０２に接続でき、ワイヤレス・デバイス１２０が第２タイプのコア・ネットワーク１０２に接続できる実施形態で、動作９０４〜９０５が実行されてもよい。
【０１０３】
ワイヤレス・デバイス１２０は、ネットワーク・ノード１１１、１１２が第２タイプのコア・ネットワークに接続できるという情報をネットワーク・ノード１１１、１１２から受信してもよい。
【０１０４】
動作９０５
実施形態で、ワイヤレス・デバイス１２０は、第１ＮＡＳメッセージをネットワーク・ノード１１１、１１２に送信してもよい。ＮＡＳメッセージは、ネットワーク・ノード１１１、１１２が第２タイプのコア・ネットワークに接続できるという送信された情報に基づく第２タイプのものである。これにより、ネットワーク・ノード１１１、１１２は、第２タイプのＮＡＳメッセージを第２タイプのコア・ネットワーク１０２に転送できる。
【０１０５】
ここで、図１０のフローチャートを参照して、実施形態がさらに例示される。フローチャートは、本書の実施形態に従って、ネットワーク・ノード１１１、１１２がワイヤレス・デバイスのためのＰＤＣＰをどのように構成するかの例を例示する。
【０１０６】
以下の文は上述の任意の適切な実施形態に適用可能であり、それらと組み合わされてもよい。
【０１０７】
ネットワーク・ノード１１１、１１２は、それがワイヤレス・デバイスのためのマスタ・ノードであるかセカンダリ・ノードであるかを決定する１００１。
【０１０８】
ネットワーク・ノード１１１、１１２はマスタ・ノードである。
ネットワーク・ノード１１１、１１２がマスタ・ノードである場合に、ネットワーク・ノード１１１、１１２は、ワイヤレス・デバイス１２０が第１及び第２タイプのコア・ネットワーク１０１、１０２のうちのどれに接続するかを決定する１００２。この例で、ＥＰＣ及びＮＧＣＮのうちの１つである。
【０１０９】
ＮＧＣＮ：ワイヤレス・デバイス１２０が第２タイプのコア・ネットワーク１０２、この例ではＮＧＣＮに接続する場合に、ネットワーク・ノード１１１、１１２は、ＱｏＳフローＩＤありで、図１０でＵＥ  ＰＤＣＰプロトコルと呼ばれるワイヤレス・デバイス１２０のためのＰＤＣＰを構成する１００３。
【０１１０】
ＥＰＣ：ワイヤレス・デバイス１２０が第１タイプのコア・ネットワーク１０１、この例ではＥＰＣに接続する場合に、ネットワーク・ノード１１１、１１２は、ＱｏＳフローＩＤなしで、ワイヤレス・デバイス１２０のためのＰＤＣＰを構成する１００４。
【０１１１】
ネットワーク・ノード１１１、１１２はセカンダリ・ノードである。
ネットワーク・ノード１１１、１１２がセカンダリ・ノードである場合に、ネットワーク・ノード１１１、１１２は、ネットワーク・ノード１１１、１１２が第１及び第２タイプのマスタ・ノードのうちのどれに接続するかを決定する１００５。この例で、ＬＴＥ  ｅＮＢ及びＮＲ  ｇＮＢのうちの１つである。
【０１１２】
ＮＲ  ｇＮＢ：ネットワーク・ノード１１１、１１２が第２タイプのマスタ・ノード、この例ではＮＲ  ｇＮＢに接続する場合に、ネットワーク・ノード１１１、１１２は、ＱｏＳフローＩＤありで、ワイヤレス・デバイス１２０のためのＰＤＣＰを構成する１００３。
【０１１３】
ＬＴＥ  ｅＮＢ：ネットワーク・ノード１１１、１１２が第１タイプのマスタ・ノード、この例ではＬＴＥ  ｅＮＢに接続する場合に、ネットワーク・ノード１１１、１１２は、ＱｏＳフローＩＤなしで、ワイヤレス・デバイス１２０のためのＰＤＣＰを構成する１００４。
【０１１４】
通信ネットワーク１００内のワイヤレス・デバイス１２０のためのＰＤＣＰを構成するための方法動作を実行するために、ネットワーク・ノード１１１、１１２は図１１に示される以下の構成を備えてもよい。上述のように、通信ネットワーク１００は、第１タイプのコア・ネットワーク１０１及び第２タイプのコア・ネットワーク１０２を備えるように適合される。
【０１１５】
ネットワーク・ノード１１１、１１２は、例えばネットワーク・ノード１１１、１１２がワイヤレス・デバイス１２０のためのマスタ・ノードであるか又はセカンダリ・ノードであるかを決定するように適合された決定モジュール１１１０によって適合される。
【０１１６】
ネットワーク・ノード１１１、１１２は、例えば第１タイプのコア・ネットワーク１０１及び第２タイプのコア・ネットワーク１０２のうちのどのタイプのコア・ネットワークにワイヤレス・デバイス１２０が接続するかを決定するように適合された決定モジュール１１１０によってさらに適合されてもよい。
【０１１７】
ネットワーク・ノード１１１、１１２がセカンダリ・ノードであるいくつかの実施形態で、ネットワーク・ノード１１１、１１２は、例えばネットワーク・ノード１１１、１１２が第１タイプのマスタ・ノード及び第２タイプのマスタ・ノードのうちのどのタイプのマスタ・ノードに接続するかを決定するように適合された決定モジュール１１１０によってさらに適合されてもよい。
【０１１８】
ネットワーク・ノード１１１、１１２は例えば、
ネットワーク・ノード１１１、１１２がマスタ・ノードである場合に、第１タイプのコア・ネットワーク１０１及び第２タイプのコア・ネットワーク１０２のうちのどのタイプのコア・ネットワークにワイヤレス・デバイス１２０が接続するかに基づいて、ワイヤレス・デバイス１２０のためのＰＤＣＰを構成することと、
ネットワーク・ノード１１１、１１２がセカンダリ・ノードである場合に、
‐第１タイプのマスタ・ノード及び第２タイプのマスタ・ノードのうちのどのタイプのマスタ・ノードにネットワーク・ノード１１１、１１２が接続するかと、
‐第１タイプのコア・ネットワーク１０１及び第２タイプのコア・ネットワーク１０２のうちのどのタイプのコア・ネットワークにワイヤレス・デバイス１２０が接続するかと、
のうちの任意の１つ以上に基づいて、ワイヤレス・デバイス１２０のためのＰＤＣＰを構成することと、
を行うように適合された構成モジュール１１１１によって適合される。
【０１１９】
第１タイプ及び第２タイプは、異なる世代の電気通信ネットワークに関連するように適合される。
【０１２０】
第１タイプの電気通信ネットワークは第４世代、４Ｇ、に関連するように適合されてもよく、第２タイプの電気通信ネットワークは第５世代、５Ｇ、に関連するように適合されてもよい。
【０１２１】
ネットワーク・ノード１１１、１１２がマスタ・ノードであるいくつかの実施形態で、ネットワーク・ノード１１１、１１２は、
ネットワーク・ノード１１１、１１２が第１タイプのコア・ネットワークに接続する場合に、ワイヤレス・デバイス１２０のために、サービス品質、ＱｏＳ、フロー・アイデンティティ、ＩＤ、なしでＰＤＣＰを構成することと、
ネットワーク・ノード１１１、１１２が第２タイプのコア・ネットワークに接続する場合に、ワイヤレス・デバイス１２０のために、ＱｏＳフローＩＤありでＰＤＣＰを構成することと、によって、ワイヤレス・デバイス１２０がどのタイプのコア・ネットワークに接続するかに基づいて、ワイヤレス・デバイス１２０のためのＰＤＣＰを構成するように適合された構成モジュール１１１１によってさらに適合されてもよい。
【０１２２】
第１タイプのコア・ネットワークはＥＰＣコア・ネットワークに関連するように適合されてもよく、第２タイプのコア・ネットワークはＮＧＣＮのような５Ｇコア・ネットワークに関連するように適合されてもよい。
【０１２３】
ネットワーク・ノード１１１、１１２がセカンダリ・ノードであるいくつかの実施形態で、ネットワーク・ノード１１１、１１２は、ネットワーク・ノード１１１、１１２が第１タイプのマスタ・ノードに接続する場合に、ワイヤレス・デバイス１２０のためにサービス品質フロー・アイデンティティ、ＩＤ、なしでＰＤＣＰを構成することと、ネットワーク・ノード１１１、１１２が第２タイプのマスタ・ノードに接続する場合に、ワイヤレス・デバイス１２０のためにＱｏＳフローＩＤありでＰＤＣＰを構成することと、によって、ネットワーク・ノード１１１、１１２がどのタイプのマスタ・ノードに接続するかに基づいて、ワイヤレス・デバイス１２０のためのＰＤＣＰを構成するように適合された構成モジュール１１１１によってさらに適合されてもよい。
【０１２４】
第１タイプのマスタ・ノードはｅＮＢのようなＬＴＥネットワーク・ノードに関連するように適合されてもよく、第２タイプのマスタ・ノードは５Ｇ  ｇＮＢのような５Ｇネットワーク・ノードに関連するように適合されてもよい。
【０１２５】
ネットワーク・ノード１１１、１１２がセカンダリ・ノードであるいくつかの実施形態で、ネットワーク・ノード１１１、１１２は、ワイヤレス・デバイス１２０が第１タイプのコア・ネットワークに接続する場合に、ワイヤレス・デバイス１２０のためにフローＩＤなしでＰＤＣＰを構成することと、ネットワーク・ノード１１１、１１２が第２タイプのコア・ネットワークに接続する場合に、ワイヤレス・デバイス１２０のためにＱｏＳフローＩＤありでＰＤＣＰを構成することと、を行うことによって、ワイヤレス・デバイス１２０がどのタイプのコア・ネットワークに接続するかに基づいて、ワイヤレス・デバイス１２０のためのＰＤＣＰを構成するように適合された構成モジュール１１１１によってさらに適合されてもよい。
【０１２６】
ネットワーク・ノード１１１、１１２が第１タイプのネットワーク・ノードであり第２タイプのコア・ネットワーク１０２に接続でき、ワイヤレス・デバイス１２０が第２タイプのコア・ネットワーク１０２に接続できるいくつかの実施形態で、ネットワーク・ノード１１１、１１２は、例えばネットワーク・ノード１１１、１１２が第２タイプのコア・ネットワークに接続できるという情報をワイヤレス・デバイス１２０に送信するように適合された送信モジュール１１１２によってさらに適合されてもよい。
【０１２７】
これらの実施形態で、ネットワーク・ノード１１１、１１２は、例えばワイヤレス・デバイス１２０から第１ＮＡＳメッセージを受信するように適合された受信モジュール１１１３によってさらに適合されてもよい。ＮＡＳメッセージは、送信された情報に基づく第２タイプのものである。
【０１２８】
これらの実施形態で、ネットワーク・ノード１１１、１１２は、例えばＮＡＳメッセージが第２タイプであることに基づいて、第２タイプのＮＡＳメッセージを第２タイプのコア・ネットワーク１０２に転送するように適合された送信モジュール１１１２によってさらに適合されてもよい。
【０１２９】
いくつかの実施形態で、ネットワーク・ノード１１１、１１２は、例えば、
シグナリング無線ベアラ、ＳＲＢ、を構成すること、
ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含むＰＤＣＰパラメータを構成することによってワイヤレス・デバイス１２０のためのＰＤＣＰを構成することと、のうちの任意の１つ以上によってワイヤレス・デバイス１２０のためのＰＤＣＰの任意の構成を実行するように適合された構成モジュール１１１１によってさらに適合されてもよい。
【０１３０】
通信ネットワーク１００内のワイヤレス・デバイス１２０のためのＰＤＣＰを構成するための本書の実施形態は、本書の実施形態の機能及び動作を実行するためのコンピュータ・プログラム・コードと共に、図１１に示されるネットワーク・ノード１１１、１１２内の処理回路のプロセッサ１１１４のような１つ以上のプロセッサを介して実装されてもよい。上述のプログラム・コードは、例えばネットワーク・ノード１１１、１１２にロードされる場合に本書の実施形成態を実行するためのコンピュータ・プログラム・コードを搬送するデータ・キャリアの形成で、コンピュータ・プログラム製品として提供されてもよい。このようなキャリアの１つは、ＣＤ  ＲＯＭディスクの形態であってもよい。しかし、メモリ・スティックのような他のデータ・キャリアも実現可能である。コンピュータ・プログラム・コードはさらに、サーバ上の純粋なプログラム・コードとして提供され、ネットワーク・ノード１１１、１１２にダウンロードされてもよい。
【０１３１】
ネットワーク・ノード１１１、１１２は、１つ以上のメモリ・ユニットを備えるメモリ１１１５をさらに備えてもよい。メモリ１１１５は、プロセッサ１１１４によって実行可能な命令を含む。
【０１３２】
メモリ１１１５は、ネットワーク・ノード１１１、１１２で実行される場合に、本書の方法を実行するために、例えば、割り当てられたリソース、データ、構成及びアプリケーションに関する情報を格納するために使用されるように構成される。
【０１３３】
いくつかの実施形態で、コンピュータ・プログラム１１１６は、少なくとも１つのプロセッサ１１１４によって実行された場合に、少なくとも１つのプロセッサ１１１４に、動作８０１〜８０８のいずれかに従って動作を実行させる命令を含む。
【０１３４】
いくつかの実施形態で、キャリア１１１７は、コンピュータ・プログラム１１１６を含み、キャリアは電子信号、光信号、電磁信号、磁気信号、電気信号、無線信号、マイクロ波信号、又はコンピュータ可読記憶媒体のうちの１つである。
【０１３５】
当業者であれば、上述したネットワーク・ノード１１１、１１２内のモジュールは、アナログ回路とデジタル回路との組み合わせ、及び／又は上述したようにプロセッサ１１１４のような１つ以上のプロセッサによって実行される例えばメモリ１１１５に格納されたソフトウェア及び／又はファームウェアを用いて構成された１つ以上のプロセッサを指してもよいことを理解するだろう。これらのプロセッサのうちの１つ以上、ならびに他のデジタル・ハードウェアは、単一の特定用途向け集積回路（ＡＳＩＣ）に含まれてもよく、又はいくつかのプロセッサ及び様々なデジタル・ハードウェアは個別にパッケージ化されるか又はシステムオンチップ（ＳｏＣ）に組み立てられるかにかかわらず、いくつかの別々のコンポーネントの間で分散されてもよい。
【０１３６】
通信ネットワーク１００内のワイヤレス・デバイス１２０のためのＰＤＣＰを構成するための方法動作を実行するために、ワイヤレス・デバイス１２０は図１２に示される以下の構成を備えてもよい。上述のように、通信ネットワーク１００は、第１タイプのコア・ネットワーク１０１及び第２タイプのコア・ネットワーク１０２を備えるように適合される。
【０１３７】
ワイヤレス・デバイス１２０は、例えば様々な世代の電気通信ネットワークに関連するように適合された第１タイプ及び第２タイプのうちどのタイプのコア・ネットワークにワイヤレス・デバイスが接続するかについての情報を取得するように適合された取得モジュール１２１１によって適合される。
【０１３８】
ワイヤレス・デバイス１２０は、第１タイプのコア・ネットワーク１０１及び第２タイプのコア・ネットワーク１０２のうちのどのタイプのコア・ネットワークにワイヤレス・デバイス１２０が接続するかに基づいて、ワイヤレス・デバイス１２０のためのＰＤＣＰを構成するように適合された構成モジュール１２１２によってさらに適合される。
【０１３９】
ワイヤレス・デバイス１２０は、通信ネットワーク１００内のネットワーク・ノード１１１、１１２から、ワイヤレス・デバイスに構成を実行するように命令するコマンドを受信するように適合された受信モジュール１２１３によってさらに適合される。
【０１４０】
ワイヤレス・デバイス１２０は、例えば、
ネットワーク・ノード１１１、１１２がマスタ・ノードである場合に、第１タイプのコア・ネットワーク１０１及び第２タイプのコア・ネットワーク１０２のうちのどのタイプのコア・ネットワークにワイヤレス・デバイス１２０が接続するかに基づいて、ワイヤレス・デバイス１２０のためのＰＤＣＰを構成することと、
ネットワーク・ノード１１１、１１２がセカンダリ・ノードである場合に、
‐第１タイプのマスタ・ノード及び第２タイプのマスタ・ノードのうちのどのタイプのマスタ・ノードにネットワーク・ノード１１１、１１２が接続するかと、
‐第１タイプのコア・ネットワーク１０１及び第２タイプのコア・ネットワーク１０２のうちのどのタイプのコア・ネットワークにワイヤレス・デバイス１２０が接続するかと、
のうちの任意の１つ以上に基づいて、ワイヤレス・デバイス１２０のためのＰＤＣＰを構成することによって、構成を実行するように適合された構成モジュール１２１２によってさらに適合されてもよい。
【０１４１】
第１タイプ及び第２タイプは、異なる世代の電気通信ネットワークに関連するように適合される。
【０１４２】
第１タイプの電気通信ネットワークは４Ｇに関連するように適合されてもよく、第２タイプの電気通信ネットワークは５Ｇに関連するように適合されてもよい。
【０１４３】
ネットワーク・ノード１１１、１１２がマスタ・ノードであるいくつかの実施形態で、ネットワーク・ノード１１１、１１２は、ネットワーク・ノード１１１、１１２が第１タイプのコア・ネットワークに接続する場合に、ワイヤレス・デバイス１２０のためにサービス品質、ＱｏＳ、フロー・アイデンティティ、ＩＤ、なしでＰＤＣＰを構成することと、ネットワーク・ノード１１１、１１２が第２タイプのコア・ネットワークに接続する場合に、ワイヤレス・デバイス１２０のためにＱｏＳフローＩＤありでＰＤＣＰを構成することと、によって、ワイヤレス・デバイス１２０がどのタイプのコア・ネットワークに接続するかに基づいて、ワイヤレス・デバイス１２０のためのＰＤＣＰを構成するように適合された構成モジュール１２１２によってさらに適合されてもよい。
【０１４４】
第１タイプのコア・ネットワークはＥＰＣコア・ネットワークに関連するように適合されてもよく、第２タイプのコア・ネットワークはＮＧＣＮのような５Ｇコア・ネットワークに関連するように適合されてもよい。
【０１４５】
ネットワーク・ノード１１１、１１２がセカンダリ・ノードであるいくつかの実施形態で、ワイヤレス・デバイス１２０は、例えばネットワーク・ノード１１１、１１２が第１タイプのマスタ・ノードに接続する場合に、ワイヤレス・デバイス１２０のためにサービス品質フロー・アイデンティティ、ＩＤ、なしでＰＤＣＰを構成することと、ネットワーク・ノード１１１、１１２が第２タイプのマスタ・ノードに接続する場合に、ワイヤレス・デバイス１２０のためにＱｏＳフローＩＤありでＰＤＣＰを構成することと、によって、ネットワーク・ノード１１１、１１２がどのタイプのマスタ・ノードに接続するかに基づいて、ワイヤレス・デバイス１２０のためのＰＤＣＰを構成するように適合された構成モジュール１２１２によってさらに適合されてもよい。
【０１４６】
第１タイプのマスタ・ノードはｅＮＢのようなＬＴＥネットワーク・ノードに関連するように適合されてもよく、第２タイプのマスタ・ノードはｇＮＢのような５Ｇネットワーク・ノードに関連するように適合されてもよい。
【０１４７】
ネットワーク・ノード１１１、１１２がセカンダリ・ノードであるいくつかの実施形態で、ワイヤレス・デバイス１２０は、ワイヤレス・デバイス１２０が第１タイプのコア・ネットワークに接続する場合に、ワイヤレス・デバイス１２０のためにサービス品質フロー・アイデンティティ、ＩＤ、なしでＰＤＣＰを構成することと、ネットワーク・ノード１１１、１１２が第２タイプのコア・ネットワークに接続する場合に、ワイヤレス・デバイス１２０のためにＱｏＳフローＩＤありでＰＤＣＰを構成することと、によって、ワイヤレス・デバイス１２０がどのタイプのコア・ネットワークに接続するかに基づいて、ワイヤレス・デバイス１２０のためのＰＤＣＰを構成するように適合された構成モジュール１２１２によってさらに適合されてもよい。
【０１４８】
ネットワーク・ノード１１１、１１２が第１タイプのネットワーク・ノードであり第２タイプのコア・ネットワーク１０２に接続でき、ワイヤレス・デバイス１２０が第２タイプのコア・ネットワーク１０２に接続できるいくつかの実施形態で、ワイヤレス・デバイス１２０は、例えば、ネットワーク・ノード１１１、１１２が第２タイプのコア・ネットワークに接続できるという情報をネットワーク・ノード１１１、１１２から受信するように適合された受信モジュール１２１３によってさらに適合されてもよい。
【０１４９】
これらの実施形態で、ワイヤレス・デバイス１２０は、例えば、ネットワーク・ノード１１１、１１２に第１ＮＡＳメッセージを送信するように適合された送信モジュール１２１４によってさらに適合されてもよい。第１ＮＡＳメッセージは、送信された情報に基づく第２タイプのものである。これにより、ネットワーク・ノード１１１、１１２は、第２タイプの第１ＮＡＳメッセージを第２タイプのコア・ネットワーク１０２に転送できる。
【０１５０】
いくつかの実施形態で、ワイヤレス・デバイス１２０は、
シグナリング無線ベアラ、ＳＲＢ、を構成すること、
ＱｏＳフローＩＤ、ヘッダ圧縮関連パラメータ、暗号化関連パラメータ、ユーザ・データの完全性保護に関連するパラメータ、及びイン・シーケンス配信に関連するパラメータ、又はＰＤＣＰシーケンス番号のサイズのうちの任意の１つ以上を含むＰＤＣＰパラメータを構成することと、のうちの任意の１つ以上によって、ワイヤレス・デバイス１２０のためのＰＤＣＰを構成することを実行するように適合された構成モジュール１２１２によってさらに適合されてもよい。
【０１５１】
通信ネットワーク１００内のワイヤレス・デバイス１２０のためのＰＤＣＰを構成するための本書の実施形態は、本書の実施形態の機能及び動作を実行するためのコンピュータ・プログラム・コードと共に、図１２に示されるワイヤレス・デバイス１２０内の処理回路のプロセッサ１２１５のような１つ以上のプロセッサを介して実装されてもよい。上述のプログラム・コードは例えば、ワイヤレス・デバイス１２０にロードされる場合に本書の実施形成態を実行するためのコンピュータ・プログラム・コードを搬送するデータ・キャリアの形成で、コンピュータ・プログラム製品として提供されてもよい。このようなキャリアの１つは、ＣＤ  ＲＯＭディスクの形態であってもよい。しかし、メモリ・スティックのような他のデータ・キャリアも実現可能である。コンピュータ・プログラム・コードはさらに、サーバ上の純粋なプログラム・コードとして提供され、ワイヤレス・デバイス１２０にダウンロードされてもよい。
【０１５２】
ワイヤレス・デバイス１２０は、１つ以上のメモリ・ユニットを備えるメモリ１２１６をさらに備えてもよい。メモリ１２１６は、プロセッサ１２１５によって実行可能な命令を含む。
【０１５３】
メモリ１２１６は、ワイヤレス・デバイス１２０で実行される場合に、本書の方法を実行するための、例えば、割り当てられたリソース、データ、構成及びアプリケーションに関する情報を格納するために使用されるように構成される。
【０１５４】
いくつかの実施形態で、コンピュータ・プログラム１２１７は、少なくとも１つのプロセッサ１２１５によって実行された場合に、少なくとも１つのプロセッサ１２１５に、動作９０１〜９０５のいずれかに従って動作を実行させる命令を含む。
【０１５５】
いくつかの実施形態で、キャリア１２１８は、コンピュータ・プログラム１２１７を含み、キャリアは電子信号、光信号、電磁信号、磁気信号、電気信号、無線信号、マイクロ波信号、又はコンピュータ可読記憶媒体のうちの１つである。
【０１５６】
当業者であれば、上述したワイヤレス・デバイス１２０内のモジュールは、アナログ回路とデジタル回路との組み合わせ、及び／又は上述したようにプロセッサ１２１５のような１つ以上のプロセッサによって実行される例えばメモリ１２１６に格納されたソフトウェア及び／又はファームウェアを用いて構成された１つ以上のプロセッサを指してもよいことを理解するだろう。これらのプロセッサのうちの１つ以上、ならびに他のデジタル・ハードウェアは、単一の特定用途向け集積回路（ＡＳＩＣ）に含まれてもよく、又はいくつかのプロセッサ及び種々のデジタル・ハードウェアは個別にパッケージ化されるか又はシステムオンチップ（ＳｏＣ）に組み立てられるかにかかわらず、いくつかの別々のコンポーネントの間で分散されてもよい。
【０１５７】
「ｃｏｍｐｒｉｓｅ」又は「ｃｏｍｐｒｉｓｉｎｇ」という用語を使用する場合に、それは非限定的、すなわち「少なくとも〜からなる」を意味すると解釈されるべきである。
【０１５８】
本書の実施形態は、上述の好ましい実施形態に限定されない。様々な代替、修正及び均等物が使用されてもよい。したがって、上記の実施形態は、添付の特許請求の範囲によって規定される本発明の範囲を限定するものと解釈されるべきではない。
【図１】
0006770643.tif 000002
【図２】
0006770643.tif 000003
【図３】
0006770643.tif 000004
【図４】
0006770643.tif 000005
【図５】
0006770643.tif 000006
【図６】
0006770643.tif 000007
【図７】
0006770643.tif 000008
【図８】
0006770643.tif 000009
【図９】
0006770643.tif 000010
【図１０】
0006770643.tif 000011
【図１１】
0006770643.tif 000012
【図１２】
0006770643.tif 000013